(57)【特許請求の範囲】
【請求項１】
音声信号を得る音声信号入力手段と、
動画像信号を得る画像信号入力手段と、
前記音声信号入力手段から供給される音声信号と、前記画像信号入力手段から供給される動画像信号について、ＭＰＥＧ２エンコード処理を施してエンコード処理されている動画像信号を生成し、該動画像信号のＩピクチャを静止画像信号として所定の記録媒体に対して記録することができる記録手段と、
記録動作期間において、前記記録手段に、前記音声信号を連続的に前記記録媒体に記録させるとともに、その記録動作期間中に前記静止画像信号を間欠的に前記記録媒体に記録させるように動作制御を行う制御手段と、
前記記録動作期間中に間欠的に、前記画像信号入力手段から供給される静止画像信号を用いて検索用画像信号を生成する検索画像生成手段と、
を備え、
前記制御手段は、前記記録動作期間中において、前記画像信号入力手段から供給されエンコード処理されている前記動画像信号の情報量が一時的に多くなり、その後情報量が少なくなった時点を記録タイミングとして設定し、その記録タイミングでの動画像信号から静止画像信号を前記記録媒体に記録させるように前記記録手段を制御すること
を特徴とする記録装置。
【請求項２】
音声信号を得る音声信号入力手段と、
動画像信号を得る画像信号入力手段と、
前記音声信号入力手段から供給される音声信号と、前記画像信号入力手段から供給される動画像信号について、ＭＰＥＧ２エンコード処理を施し、所定の記録媒体に対して記録することができる記録手段と、
記録動作期間において、前記記録手段に、前記音声信号を連続的に前記記録媒体に記録させるとともに、その記録動作期間中に前記動画像信号を間欠的に前記記録媒体に記録させるように動作制御を行う制御手段と、
前記記録動作期間中に間欠的に、前記画像信号入力手段から供給される動画像信号を用いて検索用画像信号を生成する検索画像生成手段と、
を備え、
前記制御手段は、前記記録動作期間中において、前記画像信号入力手段から供給されエンコード処理されている動画像信号の情報量が一時的に多くなり、その後情報量が少なくなった時点を記録タイミングとして設定し、その記録タイミングからの期間に、動画像信号を前記記録媒体に記録させるように前記記録手段を制御すること
を特徴とする記録装置。
【請求項３】
１回の記録動作期間において連続的な音声信号と間欠的な動画像信号が記録された記録媒体に対する再生装置として、
記録媒体から音声信号及び動画像信号を読み出し、ＭＰＥＧ２デコード処理を行うことのできる読出手段と、
デコードされた音声信号を出力することのできる音声出力手段と、
デコードされた動画像信号を出力することのできる画像出力手段と、
前記読出手段による記録媒体からの信号読出動作及びデコード処理を制御することで、前記音声出力手段から出力される音声信号と、前記画像出力手段から出力される動画像信号としての信号部分及び／又は出力タイミングを設定し、連続的な音声信号と間欠的な動画像信号の同時的な関連出力を実行させることができる制御手段と、
を備え、
前記制御手段は前記同時的な関連出力として、記録媒体に記録されている音声信号を連続的に再生出力させるとともに、その音声信号の記録動作の際に時間的に対応されて記録された動画像信号を、その対応された音声信号部分の再生タイミングに合わせて再生出力させ、かつ動画像信号が対応して記録されていない音声信号部分の再生期間には、動画像信号を形成する所定の画像信号を再生出力させるように制御を行うこと
を特徴とする再生装置。
【発明の詳細な説明】
【０００１】
【発明の属する技術分野】
本発明は、画像信号と音声信号を所定の記録媒体に記録する記録装置、及びその記録媒体から画像信号と音声信号を再生する再生装置に関するものであり、例えば、ビデオカメラなどに適用して好適とされる。
【０００２】
【従来の技術】
近年、カメラ等の撮像装置と、画像及び音声の記録再生が可能なビデオデッキが一体化された可搬型のビデオカメラが広く普及している。このような、ビデオカメラにおいては、一般にビデオテープカセットなどをはじめとするリムーバブルな記録媒体が用いられ、通常、動画像信号が記録されるとともに、同時に集音された音声信号が記録される。
また、例えば電子スチルカメラとして知られているように、静止画像を撮像する装置も普及している。記録媒体としては固体メモリやディスク（フロッピーディスクや光磁気ディスクなど）が用いられることが多い。
この電子スチルカメラでは、例えばユーザーがシャッタ操作を行ったタイミングで写真画像（即ち静止画像信号）が記録される。また、スチルカメラの機種によっては、静止画像信号とともに音声信号を取り込む機能を備えたものもあり、シャッタ操作タイミングから所定時間の周囲の音声を、静止画像信号に対応させて記録できるようにしたものもある。さらに、内部のバッファメモリを活用することで、シャッタ操作タイミングの直前の音声を記録できるようにしたものもある。
【０００３】
【発明が解決しようとする課題】
ところで、以上のような画像と音声の両方を記録できる装置は、従来ではすべて画像記録を主体とし、補助的に音声も記録するという考え方で開発されていた。
即ち音声信号に関しては、上記ビデオカメラでは画像記録中に同時に記録していくものであり、また上記スチルカメラでは画像記録タイミングに応じて音声を記録するものとされる。
つまり従来は、音声を記録している期間に補助的に画像（動画又は静止画）を記録する動作を行う装置はなく、本発明はこのような装置を実現することで、例えば講義、会議、プレゼンテーション、さらには一般ユーザーの多様な音声収集などとしての記録／再生に好適な記録装置、再生装置を提供することを目的としたものである。
【０００４】
【課題を解決するための手段】
このため本発明の記録装置としては、音声信号を得る音声信号入力手段と、動画像信号を得る画像信号入力手段と、前記音声信号入力手段から供給される音声信号と、前記画像信号入力手段から供給される動画像信号について、ＭＰＥＧ２エンコード処理を施してエンコード処理されている動画像信号を生成し、該動画像信号のＩピクチャを静止画像信号として所定の記録媒体に対して記録することができる記録手段と、記録動作期間において、前記記録手段に、前記音声信号を連続的に前記記録媒体に記録させるとともに、その記録動作期間中に前記静止画像信号を間欠的に前記記録媒体に記録させるように動作制御を行う制御手段と、前記記録動作期間中に間欠的に、前記画像信号入力手段から供給される静止画像信号を用いて検索用画像信号を生成する検索画像生成手段と、を備え、前記制御手段は、前記記録動作期間中において、前記画像信号入力手段から供給されエンコード処理されている動画像信号の情報量が一時的に多くなり、その後情報量が少なくなった時点を記録タイミングとして設定し、その記録タイミングでの動画像信号から静止画像信号を前記記録媒体に記録させるように前記記録手段を制御する。
【０００５】
また本発明の１回の記録動作期間において連続的な音声信号と間欠的な動画像信号が記録された記録媒体に対する再生装置として、記録媒体から音声信号及び動画像信号を読み出し、ＭＰＥＧ２デコード処理を行うことのできる読出手段と、デコードされた音声信号を出力することのできる音声出力手段と、デコードされた動画像信号を出力することのできる画像出力手段と、前記読出手段による記録媒体からの信号読出動作及びデコード処理を制御することで、前記音声出力手段から出力される音声信号と、前記画像出力手段から出力される動画像信号としての信号部分及び／又は出力タイミングを設定し、連続的な音声信号と間欠的な動画像信号の同時的な関連出力を実行させることができる制御手段と、を備え、前記制御手段は前記同時的な関連出力として、記録媒体に記録されている音声信号を連続的に再生出力させるとともに、その音声信号の記録動作の際に時間的に対応されて記録された動画像信号を、その対応された音声信号部分の再生タイミングに合わせて再生出力させ、かつ動画像信号が対応して記録されていない音声信号部分の再生期間には、動画像信号を形成する所定の画像信号を再生出力させるように制御を行う。
【０００６】
【発明の実施の形態】
以下、本発明の実施の形態の記録装置、再生装置について説明していく。記録装置及び再生装置の例として、カメラ装置部と画像（静止画又は動画）及び音声の記録再生が可能な記録再生装置部とが一体化された可搬型のビデオカメラを例にあげる。また、本例のビデオカメラに搭載される記録再生装置部は、光磁気ディスクの一種として知られている、いわゆるミニディスクに対応してデータを記録再生する構成を採るものとされる。
説明は次の順序で行う。
１．ディスクフォーマット
２．ビデオカメラの外観構成
３．ビデオカメラの内部構成
４．メディアドライブ部の構成
５．静止画撮影モード
６．動画撮影モード
７．音声静止画間欠撮影モード
７−１  モードＩ（タイプ１〜タイプ３）
７−２  モードII
７−３  モードIII （タイプ１〜タイプ３）
８．音声動画間欠撮影モード
８−１  モードＩ（タイプ１〜タイプ３）
８−２  モードII（タイプ１、タイプ２）
８−３  モードIII （タイプ１〜タイプ３）
９．音声及び静止画の再生動作
１０．音声及び動画の再生動作
１１．サムネイル画像記録
【０００７】
１．ディスクフォーマット
本例のビデオカメラに搭載される記録再生装置部は、ミニディスク（光磁気ディスク）に対応してデータの記録／再生を行う、ＭＤデータといわれるフォーマットに対応しているものとされる。このＭＤデータフォーマットとしては、ＭＤ−ＤＡＴＡ１とＭＤ−ＤＡＴＡ２といわれる２種類のフォーマットが開発されているが、本例のビデオカメラは、ＭＤ−ＤＡＴＡ１よりも高密度記録が可能とされるＭＤ−ＤＡＴＡ２のフォーマットに対応して記録再生を行うものとされている。そこで、先ずＭＤ−ＤＡＴＡ２のディスクフォーマットについて説明する。
【０００８】
図１及び図２は、ＭＤ−ＤＡＴＡ２としてのディスクのトラック構造例を概念的に示している。図２（ａ）（ｂ）は、それぞれ図１の破線Ａで括った部分を拡大して示す断面図及び平面図である。
これらの図に示すように、ディスク面に対してはウォブル（蛇行）が与えられたウォブルドグルーブＷＧと、ウォブルが与えられていないノンウォブルドグルーブＮＷＧとの２種類のグルーブ（溝）が予め形成される。そして、これらウォブルドグルーブＷＧとノンウォブルドグルーブＮＷＧは、その間にランドＬｄを形成するようにしてディスク上において２重のスパイラル状に存在する。
【０００９】
ＭＤ−ＤＡＴＡ２フォーマットでは、ランドＬｄがトラックとして利用されるのであるが、上記のようにしてウォブルドグルーブＷＧとノンウォブルドグルーブＮＷＧが形成されることから、トラックとしてもトラックＴｒ・Ａ，Ｔｒ・Ｂの２つのトラックがそれぞれ独立して、２重のスパイラル上に形成されることになる。
トラックＴｒ・Ａは、ディスク外周側にウォブルドグルーブＷＧが位置し、ディスク内周側にノンウォブルドグルーブＮＷＧが位置するトラックとなる。
これに対してトラックＴｒ・Ｂは、ディスク内周側にウォブルドグルーブＷＧが位置し、ディスク外周側にノンウォブルドグルーブＮＷＧが位置するトラックとなる。
つまり、トラックＴｒ・Ａに対してはディスク外周側の片側のみにウォブルが形成され、トラックＴｒ・Ｂとしてはディスク内周側の片側のみにウォブルが形成されるようにしたものとみることができる。
この場合、トラックピッチは、互いに隣接するトラックＴｒ・ＡとトラックＴｒ・Ｂの各センター間の距離となり、図２（ｂ）に示すようにトラックピッチは０．９５μｍとされている。
【００１０】
ここで、ウォブルドグルーブＷＧとしてのグルーブに形成されたウォブルは、ディスク上の物理アドレスがＦＭ変調＋バイフェーズ変調によりエンコードされた信号に基づいて形成されているものである。このため、記録再生時においてウォブルドグルーブＷＧに与えられたウォブリングから得られる再生情報を復調処理することで、ディスク上の物理アドレスを抽出することが可能となる。
また、ウォブルドグルーブＷＧとしてのアドレス情報は、トラックＴｒ・Ａ，Ｔｒ・Ｂに対して共通に有効なものとされる。つまり、ウォブルドグルーブＷＧを挟んで内周に位置するトラックＴｒ・Ａと、外周に位置するトラックＴｒ・Ｂは、そのウォブルドグルーブＷＧに与えられたウォブリングによるアドレス情報を共有するようにされる。
なお、このようなアドレッシング方式はインターレースアドレッシング方式ともいわれる。このインターレースアドレッシング方式を採用することで、例えば、隣接するウォブル間のクロストークを抑制した上でトラックピッチを小さくすることが可能となるものである。また、グルーブに対してウォブルを形成することでアドレスを記録する方式については、ＡＤＩＰ(Adress In Pregroove) 方式ともいう。
【００１１】
また、上記のようにして同一のアドレス情報を共有するトラックＴｒ・Ａ，Ｔｒ・Ｂの何れをトレースしているのかという識別は次のようにして行うことができる。
例えば３ビーム方式を応用し、メインビームがトラック（ランドＬｄ）をトレースしている状態では、残る２つのサイドビームは、上記メインビームがトレースしているトラックの両サイドに位置するグルーブをトレースしているようにすることが考えられる。
【００１２】
図２（ｂ）には、具体例として、メインビームスポットＳＰｍがトラックＴｒ・Ａをトレースしている状態が示されている。この場合には、２つのサイドビームスポットＳＰｓ１，ＳＰｓ２のうち、内周側のサイドビームスポットＳＰｓ１はノンウォブルドグルーブＮＷＧをトレースし、外周側のサイドビームスポットＳＰｓ２はウォブルドグルーブＷＧをトレースすることになる。
これに対して、図示しないが、メインビームスポットＳＰｍがトラックＴｒ・Ｂをトレースしている状態であれば、サイドビームスポットＳＰｓ１がウォブルドグルーブＷＧをトレースし、サイドビームスポットＳＰｓ２がノンウォブルドグルーブＮＷＧをトレースすることになる。
このように、メインビームスポットＳＰｍが、トラックＴｒ・Ａをトレースする場合とトラックＴｒ・Ｂをトレースする場合とでは、サイドビームスポットＳＰｓ１，ＳＰｓ２がトレースすべきグルーブとしては、必然的にウォブルドグルーブＷＧとノンウォブルドグルーブＮＷＧとで入れ替わることになる。
【００１３】
サイドビームスポットＳＰｓ１，ＳＰｓ２の反射によりフォトディテクタにて得られる検出信号としては、ウォブルドグルーブＷＧとノンウォブルドグルーブＮＷＧの何れをトレースしているのかで異なる波形が得られることから、上記検出信号に基づいて、例えば、現在サイドビームスポットＳＰｓ１，ＳＰｓ２のうち、どちらがウォブルドグルーブＷＧ（あるいはノンウォブルドグルーブＮＷＧ）をトレースしているのかを判別することにより、メインビームがトラックＴｒ・Ａ，Ｔｒ・Ｂのどちらをトレースしているのかが識別できることになる。
【００１４】
図３は、上記のようなトラック構造を有するＭＤ−ＤＡＴＡ２フォーマットのの主要スペックをＭＤ−ＤＡＴＡ１フォーマットと比較して示す図である。
先ず、ＭＤ−ＤＡＴＡ１フォーマットとしては、トラックピッチは１．６μｍ、ビット長は０．５９μｍ／ｂｉｔとなる。また、レーザ波長λ＝７８０ｎｍとされ、光学ヘッドの開口率ＮＡ＝０．４５とされる。
記録方式としては、グルーブ記録方式を採っている。つまり、グルーブをトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００１５】
記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。このため、データの冗長度としては４６．３％となる。
【００１６】
また、ＭＤ−ＤＡＴＡ１フォーマットでは、ディスク駆動方式としてＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１４０ＭＢとなる。
【００１７】
これに対して、本例のビデオカメラが対応できるＭＤ−ＤＡＴＡ２フォーマットとしては、トラックピッチは０．９５μｍ、ビット長は０．３９μｍ／ｂｉｔとされ、共にＭＤ−ＤＡＴＡ１フォーマットよりも短くなっていることが分かる。そして、例えば上記ビット長を実現するために、レーザ波長λ＝６５０ｎｍ、光学ヘッドの開口率ＮＡ＝０．５２として、合焦位置でのビームスポット径を絞ると共に光学系としての帯域を拡げている。
【００１８】
記録方式としては、図１及び図２により説明したように、ランド記録方式が採用され、アドレス方式としてはインターレースアドレッシング方式が採用される。また、記録データの変調方式としては、高密度記録に適合するとされるＲＬＬ（１，７）方式（ＲＬＬ；Run Length Limited）が採用され、誤り訂正方式としてはＲＳ−ＰＣ方式、データインターリーブにはブロック完結型が採用される。そして、上記各方式を採用した結果、データの冗長度としては、１９．７％にまで抑制することが可能となっている。
【００１９】
ＭＤ−ＤＡＴＡ２フォーマットにおいても、ディスク駆動方式としてはＣＬＶが採用されるのであるが、その線速度としては２．０ｍ／ｓとされ、記録再生時の標準のデータレートとしては５８９ｋＢ／ｓとされる。そして、記録容量としては６５０ＭＢを得ることができ、ＭＤ−ＤＡＴＡ１フォーマットと比較した場合には、４倍強の高密度記録化が実現されたことになる。
例えば、ＭＤ−ＤＡＴＡ２フォーマットにより動画像の記録を行うとして、動画像データについてＭＰＥＧ２による圧縮符号化を施した場合には、符号化データのビットレートにも依るが、時間にして１５分〜１７分の動画を記録することが可能とされる。また、音声信号データのみを記録するとして、音声データについてＡＴＲＡＣ(Adaptve Transform Acoustic Coding) ２による圧縮処理を施した場合には、時間にして１０時間程度の記録を行うことができる。
【００２０】
２．ビデオカメラの外観構成
図６（ａ）（ｂ）（ｃ）は、本例のビデオカメラの外観例を示す側面図、平面図及び背面図である。
これらの図に示すように、本例のビデオカメラの本体２００には、撮影を行うための撮像レンズや絞りなどを備えたカメラレンズ２０１が表出するようにして設けられ、また、例えば、本体２００の上面部においては、撮影時において外部の音声を収音するための左右一対のマイクロフォン２０２が設けられている。つまり、このビデオカメラでは、カメラレンズ２０１により撮影した画像の録画と、マイクロフォン２０２により収音したステレオ音声の録音を行うことが可能とされている。
【００２１】
また、本体２００の側面側には、表示部６Ａ、スピーカ２０５、インジケータ２０６が備えられている。表示部６Ａは、撮影画像、及び内部の記録再生装置により再生された画像等を表示出力する部位とされる。なお、表示部６Ａとして実際に採用する表示デバイスとしては、ここでは特に限定されるものではないが、例えば液晶ディスプレイ等が用いられればよい。また、表示部６Ａには、機器の動作に応じて所要のメッセージをユーザに知らせるための文字やキャラクタ等によるメッセージ表示等も行われるものとされる。
スピーカ２０５からは録音した音声の再生時に、その再生音声が出力される他、例えばビープ音等による所要のメッセージ音声の出力等も行われる。
またインジケータ２０６は、例えば記録動作中に発光され、ユーザーにビデオカメラが記録動作中であることを示す。
【００２２】
本体２００の背面側には、ビューファインダ２０４が設けられており、記録動作中及びスタンバイ中において、カメラレンズ２０１から取り込まれる画像及びキャラクタ画像等が表示される。ユーザーはこのビューファインダ２０４をみながら撮影を行うことができる。
さらにディスクスロット２０３、ビデオ出力端子Ｔ１、ヘッドフォン／ライン端子Ｔ２、Ｉ／Ｆ端子Ｔ３が設けられる。ディスクスロット２０３は、本例のビデオカメラが対応する記録媒体としてのディスクが挿入、あるいは排出されるためのスロット部分とされる。ビデオ出力端子Ｔ１は、外部の映像機器に対して再生画像信号等を出力する端子、ヘッドフォン／ライン端子Ｔ２は外部の音声機器やヘッドホンに対して再生音声信号を出力する端子である。Ｉ／Ｆ端子Ｔ３は、例えば外部のデータ機器とデータ伝送を行うためのインターフェイスの入出力端子とされる。
【００２３】
さらに、本体２００の各部には、ユーザー操作のための各種の操作子（３００〜３０９）が設けられる。
メインダイヤル３００は、ビデオカメラのオン／オフ、記録動作、再生動作を設定する操作子である。メインダイヤルが図示するように「ＯＦＦ」の位置にあるときは電源オフとされており、「ＳＴＢＹ」の位置に回動されることで、電源オンとなって記録動作のスタンバイ状態となる。また、「ＰＢ」の位置に回動されることで、電源オンとなって再生動作のスタンバイ状態となる。
【００２４】
レリーズキー３０１は、記録スタンバイ状態にある際において、記録開始や記録シャッタの操作子として機能する。
例えば後述する静止画撮影モードとされているときはレリーズキー３０１が押されることで、その時点でカメラレンズ２０１から取り込まれている画像が静止画としてディスクに記録される。また後述する動画撮影モードとされているときは、レリーズキー３０１が動画記録の開始及び終了の操作に用いられる。
さらに本例では、後述するように音声静止画間欠撮影モード、音声動画間欠撮影モードが用意されるが、レリーズキー３０１はこれらの際にも記録開始、終了のための操作子となる。なお、本例では音声静止画間欠撮影モード、音声動画間欠撮影モードの場合は、レリーズキー３０１の操作により音声の連続記録及び画像の間欠記録が開始されるものとして後に詳しく説明するが、例えばメインダイヤル３００で記録スタンバイ状態とされた時点から音声の記録を開始するような操作方式を採用することも考えられる。
【００２５】
撮影モードセレクタ３０２は、記録動作に関して用意されている上記の各モードを選択するための操作子である。即ち撮影モードセレクタ３０２が「ＭＰｉｃ」の位置とされると動画撮影モード、「ＳＰｉｃ」の位置とされると静止画撮影モード、「Ａｕｄｉｏ・Ｍ」の位置とされると音声動画間欠撮影モード、「Ａｕｄｉｏ・Ｓ」の位置とされると音声静止画間欠撮影モードとなる。各モードの記録動作についてはそれぞれ後述する。
【００２６】
再生モードセレクタ３０３は、再生動作に関して用意されている各モードを選択するための操作子である。再生モードセレクタ３０３が「Ｐｉｃ」の位置とされると画像優先再生モード、「Ａｕｄｉｏ  Ｃｏｎｔ」の位置とされると音声継続再生モードとなる。各モードの再生動作についてはそれぞれ後述する
【００２７】
ズームキー３０４は、画像撮影に関してのズーム状態（テレ側〜ワイド側）を操作する操作子である。
イジェクトキー３０５は、ディスクスロット２０３内に装填されているディスクを排出させるための操作子である。
再生／一時停止キー３０６、停止キー３０７、サーチキー３０８，３０９は、ディスクに対する再生時の各種操作のために用意されている。
【００２８】
なお、図６に示すビデオカメラの外観はあくまでも一例であって、実際に本例のビデオカメラに要求される使用条件等に応じて適宜変更されて構わないものである。もちろん操作子の種類や操作方式、さらに外部機器との接続端子類などは各種多様に考えられる。
【００２９】
３．ビデオカメラの内部構成
図４は、本例のビデオカメラの内部構成例を示すブロック図である。
この図に示すレンズブロック１においては、例えば実際には撮像レンズや絞りなどを備えて構成される光学系１１が備えられている。上記図６に示したカメラレンズ２０１は、この光学系１１に含まれる。また、このレンズブロック１には、光学系１１に対してオートフォーカス動作を行わせるためのフォーカスモータや、上記ズームキー３０４の操作に基づくズームレンズの移動を行うためのズームモータなどが、モータ部１２として備えられる。
【００３０】
カメラブロック２には、主としてレンズブロック１により撮影した画像光をデジタル画像信号に変換するための回路部が備えられる。
このカメラブロック２のＣＣＤ(Charge Coupled Device) ２１に対しては、光学系１１を透過した被写体の光画像が与えられる。ＣＣＤ２１においては上記光画像について光電変換を行うことで撮像信号を生成し、サンプルホールド／ＡＧＣ(Automatic Gain Control)回路２２に供給する。サンプルホールド／ＡＧＣ回路２２では、ＣＣＤ２１から出力された撮像信号についてゲイン調整を行うと共に、サンプルホールド処理を施すことによって波形整形を行う。サンプルホールド／ＡＧＣ回路２の出力は、ビデオＡ／Ｄコンバータ２３に供給されることで、デジタルとしての画像信号データに変換される。
【００３１】
上記ＣＣＤ２１、サンプルホールド／ＡＧＣ回路２２、ビデオＡ／Ｄコンバータ２３における信号処理タイミングは、タイミングジェネレータ２４にて生成されるタイミング信号により制御される。タイミングジェネレータ２４では、後述するデータ処理／システムコントロール回路３１（ビデオ信号処理回部３内）にて信号処理に利用されるクロックを入力し、このクロックに基づいて所要のタイミング信号を生成するようにされる。これにより、カメラブロック２における信号処理タイミングを、ビデオ信号処理部３における処理タイミングと同期させるようにしている。
カメラコントローラ２５は、カメラブロック２内に備えられる上記各機能回路部が適正に動作するように所要の制御を実行すると共に、レンズブロック１に対してオートフォーカス、自動露出調整、絞り調整、ズームなどのための制御を行うものとされる。
例えばオートフォーカス制御であれば、カメラコントローラ２５は、所定のオートフォーカス制御方式に従って得られるフォーカス制御情報に基づいて、フォーカスモータの回転角を制御する。これにより、撮像レンズはジャストピント状態となるように駆動されることになる。
【００３２】
ビデオ信号処理部３は、記録時においては、カメラブロック２から供給されたデジタル画像信号、及びマイクロフォン２０２により集音したことで得られるデジタル音声信号について圧縮処理を施し、これら圧縮データをユーザ記録データとして後段のメディアドライブ部４に供給する。さらにカメラブロック２から供給されたデジタル画像信号とキャラクタ画像により生成した画像をビューファインダドライブ部２０７に供給し、ビューファインダ２０４に表示させる。
また、再生時においては、メディアドライブ部４から供給されるユーザ再生データ（ディスク５１からの読み出しデータ）、つまり圧縮処理された画像信号データ及び音声信号データについて復調処理を施し、これらを再生画像信号、再生音声信号として出力する。
【００３３】
なお本例において、画像信号データ（画像データ）の圧縮／伸張処理方式としては、動画像についてはＭＰＥＧ(Moving Picture Experts Group)２を採用し、静止画像についてはＪＰＥＧ(Joint Photographic Coding Experts Group) を採用しているものとする。また、音声信号デーのタ圧縮／伸張処理方式には、ＡＴＲＡＣ(Adaptve Transform Acoustic Coding) ２を採用するものとする。
【００３４】
ビデオ信号処理部３のデータ処理／システムコントロール回路３１は、主として、当該ビデオ信号処理部３における画像信号データ及び音声信号データの圧縮／伸張処理に関する制御処理と、ビデオ信号処理部３を経由するデータの入出力を司るための処理を実行する。
また、データ処理／システムコントロール回路３１を含むビデオ信号処理部３全体についての制御処理は、ビデオコントローラ３８が実行するようにされる。このビデオコントローラ３８は、例えばマイクロコンピュータ等を備えて構成され、カメラブロック２のカメラコントローラ２５、及び後述するメディアドライブ部４のドライバコントローラ４６と、例えば図示しないバスライン等を介して相互通信可能とされている。
【００３５】
ビデオ信号処理部３における記録時の基本的な動作として、データ処理／システムコントロール回路３１には、カメラブロック２のビデオＡ／Ｄコンバータ２３から供給された画像信号データが入力される。データ処理／システムコントロール回路３１では、入力された画像信号データを例えば動き検出回路３５に供給する。動き検出回路３５では、例えばメモリ３６を作業領域として利用しながら入力された画像信号データについて動き補償等の画像処理を施した後、ＭＰＥＧ２ビデオ信号処理回路３３に供給する。
【００３６】
ＭＰＥＧ２ビデオ信号処理回路３３においては、例えばメモリ３４を作業領域として利用しながら、入力された画像信号データについてＭＰＥＧ２のフォーマットに従って圧縮処理を施し、動画像としての圧縮データのビットストリーム（ＭＰＥＧ２ビットストリーム）を出力するようにされる。また、ＭＰＥＧ２ビデオ信号処理回路３３では、例えば動画像としての画像信号データから静止画としての画像データを抽出してこれに圧縮処理を施す際には、ＪＰＥＧのフォーマットに従って静止画としての圧縮画像データを生成するように構成されている。なお、ＪＰＥＧは採用せずに、ＭＰＥＧ２のフォーマットによる圧縮画像データとして、正規の画像データとされるＩピクチャ(Intra Picture) を静止画の画像データとして扱うことも考えられる。
ＭＰＥＧ２ビデオ信号処理回路３３により圧縮符号化された画像信号データ（圧縮画像データ）は、例えば、バッファメモリ３２に対して所定の転送レートにより書き込まれて一時保持される。
なおＭＰＥＧ２のフォーマットにおいては、周知のようにいわゆる符号化ビットレート（データレート）として、一定速度（ＣＢＲ；Constant Bit Rate)と、可変速度（ＶＢＲ；Variable Bit Rate)の両者がサポートされており、ビデオ信号処理部３ではこれらに対応できるものとしている。
【００３７】
音声圧縮エンコーダ／デコーダ３７には、Ａ／Ｄコンバータ６４（表示／画像／音声入出力部６内）を介して、例えばマイクロフォン２０２により集音された音声がデジタルによる音声信号データとして入力される。
音声圧縮エンコーダ／デコーダ３７では、前述のようにＡＴＲＡＣ２のフォーマットに従って入力された音声信号データに対する圧縮処理を施す。この圧縮音声信号データもまた、データ処理／システムコントロール回路３１によってバッファメモリ３２に対して所定の転送レートによる書き込みが行われ、ここで一時保持される。
【００３８】
上記のようにして、バッファメモリ３２には、圧縮画像データ及び圧縮音声信号データが蓄積可能とされる。バッファメモリ３２は、主として、カメラブロック２あるいは表示／画像／音声入出力部６とバッファメモリ３２間のデータ転送レートと、バッファメモリ３２とメディアドライブ部４間のデータ転送レートの速度差を吸収するための機能を有する。
バッファメモリ３２に蓄積された圧縮画像データ及び圧縮音声信号データは、記録時であれば、順次所定タイミングで読み出しが行われて、メディアドライブ部４のＭＤ−ＤＡＴＡ２エンコーダ／デコーダ４１に伝送される。ただし、例えば再生時においてバッファメモリ３２に蓄積されたデータの読み出しと、この読み出したデータをメディアドライブ部４からデッキ部５を介してディスク５１に記録するまでの動作は、間欠的に行われても構わない。
このようなバッファメモリ３２に対するデータの書き込み及び読み出し制御は、例えば、データ処理／システムコントロール回路３１によって実行される。
【００３９】
ビデオ信号処理部３における再生時の動作としては、概略的に次のようになる。
再生時には、ディスク５１から読み出され、ＭＤ−ＤＡＴＡ２エンコーダ／デコーダ４１（メディアドライブ部４内）の処理によりＭＤ−ＤＡＴＡ２フォーマットに従ってデコードされた圧縮画像データ、圧縮音声信号データ（ユーザ再生データ）が、データ処理／システムコントロール回路３１に伝送されてくる。
データ処理／システムコントロール回路３１では、例えば入力した圧縮画像データ及び圧縮音声信号データを、一旦バッファメモリ３２に蓄積させる。そして、例えば再生時間軸の整合が得られるようにされた所要のタイミング及び転送レートで、バッファメモリ３２から圧縮画像データ及び圧縮音声信号データの読み出しを行い、圧縮画像データについてはＭＰＥＧ２ビデオ信号処理回路３３に供給し、圧縮音声信号データについては音声圧縮エンコーダ／デコーダ３７に供給する。
【００４０】
ＭＰＥＧ２ビデオ信号処理回路３３では、入力された圧縮画像データについて伸張処理を施して、データ処理／システムコントロール回路３１に伝送する。データ処理／システムコントロール回路３１では、この伸張処理された画像信号データを、ビデオＤ／Ａコンバータ６１（表示／画像／音声入出力部６内）に供給する。
音声圧縮エンコーダ／デコーダ３７では、入力された圧縮音声信号データについて伸張処理を施して、Ｄ／Ａコンバータ６５（表示／画像／音声入出力部６内）に供給する。
【００４１】
表示／画像／音声入出力部６においては、ビデオＤ／Ａコンバータ６１に入力された画像信号データは、ここでアナログ画像信号に変換され、表示コントローラ６２及びコンポジット信号処理回路６３に対して分岐して入力される。
表示コントローラ６２では、入力された画像信号に基づいて表示部６Ａを駆動する。これにより、表示部６Ａにおいて再生画像の表示が行われる。また、表示部６Ａにおいては、ディスク５１から再生して得られる画像の表示だけでなく、当然のこととして、レンズブロック１及びカメラブロック２からなるカメラ部位により撮影して得られた撮像画像も、ほぼリアルタイムで表示出力させることが可能である。
また、再生画像及び撮像画像の他、前述のように、機器の動作に応じて所要のメッセージをユーザに知らせるための文字やキャラクタ等によるメッセージ表示も行われるものとされる。このようなメッセージ表示は、例えばビデオコントローラ３８の制御によって、所要の文字やキャラクタ等が所定の位置に表示されるように、データ処理／システムコントロール回路３１からビデオＤ／Ａコンバータ６１に出力すべき画像信号データに対して、所要の文字やキャラクタ等の画像信号データを合成する処理を実行するようにすればよい。
【００４２】
コンポジット信号処理回路６３では、ビデオＤ／Ａコンバータ６１から供給されたアナログ画像信号についてコンポジット信号に変換して、ビデオ出力端子Ｔ１に出力する。例えば、ビデオ出力端子Ｔ１を介して、外部モニタ装置等と接続を行えば、当該ビデオカメラで再生した画像を外部モニタ装置により表示させることが可能となる。
【００４３】
また、表示／画像／音声入出力部６において、音声圧縮エンコーダ／デコーダ３７からＤ／Ａコンバータ６５に入力された音声信号データは、ここでアナログ音声信号に変換され、ヘッドフォン／ライン端子Ｔ２に対して出力される。また、Ｄ／Ａコンバータ６５から出力されたアナログ音声信号は、アンプ６６を介してスピーカＳＰに対しても分岐して出力され、これにより、スピーカＳＰからは、再生音声等が出力されることになる。
【００４４】
メディアドライブ部４では、主として、記録時にはＭＤ−ＤＡＴＡ２フォーマットに従って記録データをディスク記録に適合するようにエンコードしてデッキ部５に伝送し、再生時においては、デッキ部５においてディスク５１から読み出されたデータについてデコード処理を施すことで再生データを得て、ビデオ信号処理部３に対して伝送する。
【００４５】
このメディアドライブ部４のＭＤ−ＤＡＴＡ２エンコーダ／デコーダ４１は、記録時においては、データ処理／システムコントロール回路３１から記録データ（圧縮画像データ＋圧縮音声信号データ）が入力され、この記録データについて、ＭＤ−ＤＡＴＡ２フォーマットに従った所定のエンコード処理を施し、このエンコードされたデータを一時バッファメモリ４２に蓄積する。そして、所要のタイミングで読み出しを行いながらデッキ部５に伝送する。
【００４６】
再生時においては、ディスク５１から読み出され、ＲＦ信号処理回路４４、二値化回路４３を介して入力されたデジタル再生信号について、ＭＤ−ＤＡＴＡ２フォーマットに従ったデコード処理を施して、再生データとしてビデオ信号処理部３のデータ処理／システムコントロール回路３１に対して伝送する。
なお、この際においても、必要があれば再生データを一旦バッファメモリ４２に蓄積し、ここから所要のタイミングで読み出したデータをデータ処理／システムコントロール回路３１に伝送出力するようにされる。このような、バッファメモリ４２に対する書き込み／読み出し制御はドライバコントローラ４６が実行するものとされる。
なお、例えばディスク５１の再生時において、外乱等によってサーボ等が外れて、ディスクからの信号の読み出しが不可となったような場合でも、バッファメモリ４２に対して読み出しデータが蓄積されている期間内にディスクに対する再生動作を復帰させるようにすれば、再生データとしての時系列的連続性を維持することが可能となる。
【００４７】
ＲＦ信号処理回路４４には、ディスク５１からの読み出し信号について所要の処理を施すことで、例えば、再生データとしてのＲＦ信号、デッキ部５に対するサーボ制御のためのフォーカスエラー信号、トラッキングエラー信号等のサーボ制御信号を生成する。ＲＦ信号は、上記のように二値化回路４３により２値化され、デジタル信号データとしてＭＤ−ＤＡＴＡ２エンコーダ／デコーダ４１に入力される。
また、生成された各種サーボ制御信号はサーボ回路４５に供給される。サーボ回路４５では、入力したサーボ制御信号に基づいて、デッキ部５における所要のサーボ制御を実行する。
【００４８】
なお、本例においては、ＭＤ−ＤＡＴＡ１フォーマットに対応するエンコーダ／デコーダ４７を備えており、ビデオ信号処理部３から供給された記録データを、ＭＤ−ＤＡＴＡ１フォーマットに従ってエンコードしてディスク５１に記録すること、或いは、ディスク５１からの読み出しデータがＭＤ−ＤＡＴＡ１フォーマットに従ってエンコードされているものについては、そのデコード処理を行って、ビデオ信号処理部３に伝送出力することも可能とされている。つまり本例のビデオカメラとしては、ＭＤ−ＤＡＴＡ２フォーマットとＭＤ−ＤＡＴＡ１フォーマットとについて互換性が得られるように構成されている。
ドライバコントローラ４６は、メディアドライブ部４を総括的に制御するための機能回路部とされる。
【００４９】
デッキ部５は、ディスク５１を駆動するための機構からなる部位とされる。ここでは図示しないが、デッキ部５においては、装填されるべきディスク５１が着脱可能とされ、ユーザの作業によって交換が可能なようにされた機構（ディスクスロット２０３（図６参照））を有しているものとされる。また、ここでのディスク５１は、ＭＤ−ＤＡＴＡ２フォーマット、あるいはＭＤ−ＤＡＴＡ１フォーマットに対応する光磁気ディスクであることが前提となる。
【００５０】
デッキ部５においては、装填されたディスク５１をＣＬＶにより回転駆動するスピンドルモータ５２によって、ＣＬＶにより回転駆動される。このディスク５１に対しては記録／再生時に光学ヘッド５３によってレーザ光が照射される。
光学ヘッド５３は、記録時には記録トラックをキュリー温度まで加熱するための高レベルのレーザ出力を行ない、また再生時には磁気カー効果により反射光からデータを検出するための比較的低レベルのレーザ出力を行なう。このため、光学ヘッド５３には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５３に備えられる対物レンズとしては、例えば２軸機構によってディスク半径方向及びディスクに接離する方向に変位可能に保持されている。
【００５１】
また、ディスク５１を挟んで光学ヘッド５３と対向する位置には磁気ヘッド５４が配置されている。磁気ヘッド５４は記録データによって変調された磁界をディスク５１に印加する動作を行なう。
また、図示しないが、デッキ部５においては、スレッドモータ５５により駆動されるスレッド機構が備えられている。このスレッド機構が駆動されることにより、上記光学ヘッド５３全体及び磁気ヘッド５４はディスク半径方向に移動可能とされている。
【００５２】
操作部７は図６に示した各操作子３００〜３０９に相当し、これらの操作子によるユーザの各種操作情報は例えばビデオコントローラ３８に供給される。ビデオコントローラ３８は、ユーザー操作に応じた必要な動作が各部において実行されるようにするための操作情報、制御情報をカメラコントローラ２５、ドライバコントローラ４６に対して供給する。
【００５３】
外部インターフェイス８は、当該ビデオカメラと外部機器とでデータを相互伝送可能とするために設けられており、例えば図のようにＩ／Ｆ端子Ｔ３とビデオ信号処理部間に対して設けられる。なお、外部インターフェイス８としてはここでは特に限定されるものではないが、例えばＩＥＥＥ１３９４等が採用されればよい。
例えば、外部のデジタル画像機器と本例のビデオカメラをＩ／Ｆ端子Ｔ３を介して接続した場合、ビデオカメラで撮影した画像（音声）を外部デジタル画像機器に録画したりすることが可能となる。また、外部デジタル画像機器にて再生した画像（音声）データ等を、外部インターフェイス８を介して取り込むことにより、ＭＤ−ＤＡＴＡ２（或いはＭＤ−ＤＡＴＡ１）フォーマットに従ってディスク５１に記録するといったことも可能となる。
【００５４】
電源ブロック９は、内蔵のバッテリにより得られる直流電源あるいは商用交流電源から生成した直流電源を利用して、各機能回路部に対して所要のレベルの電源電圧を供給する。電源ブロック９による電源オン／オフは、上述したメインダイヤル３００の操作に応じてビデオコントローラ３８が制御する。
また記録動作中はビデオコントローラ３８はインジケータ２０６の発光動作を実行させる。
【００５５】
４．メディアドライブ部の構成
続いて、図４に示したメディアドライブ部４の構成として、ＭＤ−ＤＡＴＡ２に対応する機能回路部を抽出した詳細な構成について、図５のブロック図を参照して説明する。なお、図５においては、メディアドライブ部４と共にデッキ部５を示しているが、デッキ部５の内部構成については図４により説明したため、ここでは、図４と同一符号を付して説明を省略する。また、図５に示すメディアドライブ部４において図４のブロックに相当する範囲に同一符号を付している。
【００５６】
光学ヘッド５３のディスク５１に対するデータ読み出し動作によりに検出された情報（フォトディテクタによりレーザ反射光を検出して得られる光電流）は、ＲＦ信号処理回路４４内のＲＦアンプ１０１に供給される。
ＲＦアンプ１０１では入力された検出情報から、再生信号としての再生ＲＦ信号を生成し、二値化回路４３に供給する。二値化回路４３は、入力された再生ＲＦ信号について二値化を行うことにより、デジタル信号化された再生ＲＦ信号（二値化ＲＦ信号）を得る。
この二値化ＲＦ信号はＭＤ−ＤＡＴＡ２エンコーダ／デコーダ４１に供給され、まずＡＧＣ／クランプ回路１０３を介してゲイン調整、クランプ処理等が行われた後、イコライザ／ＰＬＬ回路１０４に入力される。
イコライザ／ＰＬＬ回路１０４では、入力された二値化ＲＦ信号についてイコライジング処理を施してビタビデコーダ１０５に出力する。また、イコライジング処理後の二値化ＲＦ信号をＰＬＬ回路に入力することにより、二値化ＲＦ信号（ＲＬＬ（１，７）符号列）に同期したクロックＣＬＫを抽出する。
【００５７】
クロックＣＬＫの周波数は現在のディスク回転速度に対応する。このため、ＣＬＶプロセッサ１１１では、イコライザ／ＰＬＬ回路１０４からクロックＣＬＫを入力し、所定のＣＬＶ速度（図３参照）に対応する基準値と比較することにより誤差情報を得て、この誤差情報をスピンドルエラー信号ＳＰＥを生成するための信号成分として利用する。また、クロックＣＬＫは、例えばＲＬＬ（１，７）復調回路１０６をはじめとする、所要の信号処理回路系における処理のためのクロックとして利用される。
【００５８】
ビタビデコーダ１０５は、イコライザ／ＰＬＬ回路１０４から入力された二値化ＲＦ信号について、いわゆるビタビ復号法に従った復号処理を行う。これにより、ＲＬＬ（１，７）符号列としての再生データが得られることになる。
この再生データはＲＬＬ（１，７）復調回路１０６に入力され、ここでＲＬＬ（１，７）復調が施されたデータストリームとされる。
【００５９】
ＲＬＬ（１，７）復調回路１０６における復調処理により得られたデータストリームは、データバス１１４を介してバッファメモリ４２に対して書き込みが行われ、バッファメモリ４２上で展開される。
このようにしてバッファメモリ４２上に展開されたデータストリームに対しては、先ず、ＥＣＣ処理回路１１６により、ＲＳ−ＰＣ方式に従って誤り訂正ブロック単位によるエラー訂正処理が施され、更に、デスクランブル／ＥＤＣデコード回路１１７により、デスクランブル処理と、ＥＤＣデコード処理（エラー検出処理）が施される。
これまでの処理が施されたデータが再生データＤＡＴＡｐとされる。この再生データＤＡＴＡｐは、転送クロック発生回路１２１にて発生された転送クロックに従った転送レートで、例えばデスクランブル／ＥＤＣデコード回路１１７からビデオ信号処理部３のデータ処理／システムコントロール回路３１に対して伝送されることになる。
【００６０】
転送クロック発生回路１２１は、例えば、クリスタル系のクロックをメディアドライブ部４とビデオ信号処理部３間のデータ伝送や、メディアドライブ部４内における機能回路部間でのデータ伝送を行う際に、適宜適正とされる周波数の転送クロックを発生するための部位とされる。
【００６１】
光学ヘッド５３によりディスク５１から読み出された検出情報（光電流）は、マトリクスアンプ１０７に対しても供給される。
マトリクスアンプ１０７では、入力された検出情報について所要の演算処理を施すことにより、トラッキングエラー信号ＴＥ、フォーカスエラー信号ＦＥ、グルーブ情報（ディスク５１にウォブルドグルーブＷＧとして記録されている絶対アドレス情報）ＧＦＭ等を抽出しサーボ回路４５に供給する。即ち抽出されたトラッキングエラー信号ＴＥ、フォーカスエラー信号ＦＥはサーボプロセッサ１１２に供給され、グルーブ情報ＧＦＭはＡＤＩＰバンドパスフィルタ１０８に供給される。
【００６２】
ＡＤＩＰバンドパスフィルタ１０８により帯域制限されたグルーブ情報ＧＦＭは、Ａ／Ｂトラック検出回路１０９、ＡＤＩＰデコーダ１１０、及びＣＬＶプロセッサ１１１に対して供給される。
Ａ／Ｂトラック検出回路１０９では、例えば図２（ｂ）にて説明した方式などに基づいて、入力されたグルーブ情報ＧＦＭから、現在トレースしているトラックがトラックＴＲ・Ａ，ＴＲ・Ｂの何れとされているのかについて判別を行い、このトラック判別情報をドライバコントローラ４６に出力する。また、ＡＤＩＰデコーダ１１０では、入力されたグルーブ情報ＧＦＭをデコードしてディスク上の絶対アドレス情報であるＡＤＩＰ信号を抽出し、ドライバコントローラ４６に出力する。ドライバコントローラ４６では、上記トラック判別情報及びＡＤＩＰ信号に基づいて、所要の制御処理を実行する。
【００６３】
ＣＬＶプロセッサ１１１には、イコライザ／ＰＬＬ回路１０４からクロックＣＬＫと、ＡＤＩＰバンドパスフィルタ１０８を介したグルーブ情報ＧＦＭが入力される。ＣＬＶプロセッサ１１１では、例えばグルーブ情報ＧＦＭに対するクロックＣＬＫとの位相誤差を積分して得られる誤差信号に基づき、ＣＬＶサーボ制御のためのスピンドルエラー信号ＳＰＥを生成し、サーボプロセッサ１１２に対して出力する。なお、ＣＬＶプロセッサ１１１が実行すべき所要の動作はドライバコントローラ４６によって制御される。
【００６４】
サーボプロセッサ１１２は、上記のようにして入力されたトラッキングエラー信号ＴＥ、フォーカスエラー信号ＦＥ、スピンドルエラー信号ＳＰＥ、ドライバコントローラ４６からのトラックジャンプ指令、アクセス指令等に基づいて各種サーボ制御信号（トラッキング制御信号、フォーカス制御信号、スレッド制御信号、スピンドル制御信号等）を生成し、サーボドライバ１１３に対して出力する。
サーボドライバ１１３では、サーボプロセッサ１１２から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ５２を駆動するスピンドルモータ駆動信号となる。
このようなサーボドライブ信号がデッキ部５に対して供給されることで、ディスク５１に対するフォーカス制御、トラッキング制御、及びスピンドルモータ５２に対するＣＬＶ制御が行われることになる。
【００６５】
ディスク５１に対して記録動作が実行される際には、例えば、ビデオ信号処理部３のデータ処理／システムコントロール回路３１からスクランブル／ＥＤＣエンコード回路１１５に対して記録データＤＡＴＡｒが入力されることになる。このユーザ記録データＤＡＴＡｒは、例えば転送クロック発生回路１２１にて発生された転送クロックに同期して入力される。
【００６６】
スクランブル／ＥＤＣエンコード回路１１５では、例えば記録データＤＡＴＡｒをバッファメモリ４２に書き込んで展開し、データスクランブル処理、ＥＤＣエンコード処理（所定方式によるエラー検出符号の付加処理）を施す。この処理の後、例えばＥＣＣ処理回路１１６によって、バッファメモリ４２に展開させている記録データＤＡＴＡｒに対してＲＳ−ＰＣ方式によるエラー訂正符号を付加するようにされる。
ここまでの処理が施された記録データＤＡＴＡｒは、バッファメモリ４２から読み出されて、データバス１１４を介してＲＬＬ（１，７）変調回路１１８に供給される。
【００６７】
ＲＬＬ（１，７）変調回路１１８では、入力された記録データＤＡＴＡｒについてＲＬＬ（１，７）変調処理を施し、このＲＬＬ（１，７）符号列としての記録データを磁気ヘッド駆動回路１１９に出力する。
【００６８】
ところで、ＭＤ−ＤＡＴＡ２フォーマットでは、ディスクに対する記録方式として、いわゆるレーザストローブ磁界変調方式を採用している。レーザストローブ磁界変調方式とは、記録データにより変調した磁界をディスク記録面に印加すると共に、ディスクに照射すべきレーザ光を記録データに同期してパルス発光させる記録方式をいう。
このようなレーザストローブ磁界変調方式では、ディスクに記録されるピットエッジの形成過程が磁界の反転速度等の過渡特性に依存せず、レーザパルスの照射タイミングによって決定される。
このため、例えば単純磁界変調方式（レーザ光をディスクに対して定常的に照射すると共に記録データにより変調した磁界をディスク記録面に印加するようにした方式）と比較して、レーザストローブ磁界変調方式では、記録ピットのジッタをきわめて小さくすることが容易に可能とされる。つまり、レーザストローブ磁界変調方式は、高密度記録化に有利な記録方式とされるものである。
【００６９】
メディアドライブ部４の磁気ヘッド駆動回路１１９では、入力された記録データにより変調した磁界が磁気ヘッド５４からディスク５１に印加されるように動作する。また、ＲＬＬ（１，７）変調回路１１８からレーザドライバ１２０に対しては、記録データに同期したクロックを出力する。レーザドライバ１２０は、入力されたクロックに基づいて、磁気ヘッド５４により磁界として発生される記録データに同期させたレーザパルスがディスクに対して照射されるように、光学ヘッド５３のレーザダイオードを駆動する。この際、レーザダイオードから発光出力されるレーザパルスとしては、記録に適合する所要のレーザパワーに基づくものとなる。このようにして、本例のメディアドライブ部４により上記レーザストローブ磁界変調方式としての記録動作が可能とされる。
【００７０】
５．静止画撮影モード
本例のビデオカメラによる記録動作としては上述のように撮影モードセレクタ３０２の操作により静止画撮影モード、動画撮影モード、音声静止画間欠撮影モード、音声動画間欠撮影モードの４つのモード動作が可能とされているが、まずここで静止画撮影モードとしての記録動作を説明する。
なお、この静止画撮影モードは、従来のいわゆるスチルカメラと概略同様の撮影動作となり、また次に説明する動画撮影モードは、従来のビデオカメラと概略同様の撮影動作となるため、これらについては簡単に述べることとし、本例における特徴的な記録動作となる音声静止画間欠撮影モード、音声動画間欠撮影モードについて、後に詳しく述べる。
即ち本例のビデオカメラは、音声静止画間欠撮影モード、音声動画間欠撮影モードとして従来はなかった新規な記録動作が可能とされるだけでなく、静止画撮影モード、動画撮影モードとして従来のスチルカメラ、ビデオカメラと同等の記録動作も可能とされるものである。
【００７１】
また逐次説明しないが、以下順次説明していく各モードでの動作例としての記録動作はすべて、ビデオコントローラ３８による全体動作制御に基づいて、主にデータ処理／システムコントロール回路３１によるビデオ信号処理部３内の各部の制御と、ドライバコントローラ４６によるメディアドライブ部４内の各部の制御によって実現されるものである。つまり、ビデオカメラの構成の説明において上述した記録動作が、各モードでの制御に基づいて実行されることになる。
また各モードの動作例を模式的に図７、図８、図９、図１３、図１５、図１９、図２３、図２６に示していくが、これらの図において横軸は時間軸を示し、また斜線を付した期間は、画像又は音声として入力された信号が、ディスク５１に記録される信号として扱われる期間を示している。
【００７２】
まず本例のビデオカメラでの静止画撮影モードとしての記録動作としては、各種の動作態様が考えられるが、ここでは図７（ａ）（ｂ）（ｃ）にタイプ１〜タイプ３として示すような動作態様を例にあげて説明する。
【００７３】
［タイプ１］
図７（ａ）のタイプ１の記録動作は、静止画撮影モードの場合は音声については記録を行わず、写真撮影の場合と同様に静止画だけを記録するものとしている。
即ち、メインダイヤル３００により記録スタンバイとされている期間（ｔＳＴ〜ｔＳＴＥ）であって、撮影モードセレクタ３０２によって静止画撮影モードが選択されている場合は、図示するようにレリーズキー３０１が押されたタイミングＲＳにおいて、その時点でカメラブロック２から取り込まれエンコードされた静止画としての画像信号（１フレーム分の画像信号）をディスク５１に記録していく動作である。
【００７４】
［タイプ２］
図７（ｂ）のタイプ２の記録動作は、静止画撮影モードの場合は、静止画を記録するとともに、その時点から一定期間にマイクロホン２０２から入力される音声も記録するようにする動作方式である。
即ち、メインダイヤル３００により記録スタンバイとされている期間（ｔＳＴ〜ｔＳＴＥ）であって、撮影モードセレクタ３０２によって静止画撮影モードが選択されている場合は、図示するようにレリーズキー３０１が押されたタイミングＲＳにおいて、その時点でカメラブロック２から取り込まれエンコードされた静止画としての画像信号（１フレーム分の画像信号）をディスク５１に記録する。そしてさらにそのタイミングＲＳから或る特定時間長としてのＴ１期間においてマイクロホン２０２から入力される音声もディスク５１に記録する。
【００７５】
［タイプ３］
図７（ｃ）のタイプ３の記録動作は、静止画撮影モードの場合は、静止画を記録するとともに、その時点から前後における一定期間にマイクロホン２０２から入力される音声も記録するようにする動作方式である。
即ち、メインダイヤル３００により記録スタンバイとされている期間（ｔＳＴ〜ｔＳＴＥ）であって、撮影モードセレクタ３０２によって静止画撮影モードが選択されている場合は、図示するようにレリーズキー３０１が押されたタイミングＲＳにおいて、その時点でカメラブロック２から取り込まれエンコードされた静止画としての画像信号（１フレーム分の画像信号）をディスク５１に記録する。そしてさらにそのタイミングＲＳからＴ２時間だけ過去の時点から、マイクロホン２０２から入力された音声と、タイミングＲＳからＴ１時間経過するまでの期間においてマイクロホン２０２から入力される音声をディスク５１に記録する。
タイミングＴＳより過去の音声を記録するのは、バッファメモリ３２又はバッファメモリ４２を活用することで可能となる。つまり、入力音声信号を記録のためにエンコードした音声信号は、バッファメモリ３２又はバッファメモリ４２にある期間だけは蓄積されているため、タイミングＴＳより前のＴ２期間のエンコード済の音声データはバッファメモリ３２又はバッファメモリ４２から読み出すことで、ディスク５１に記録できるものである。
【００７６】
なお、これらのタイプ１〜タイプ３以外にも、静止画撮影モードとしての動作例は考えられる。例えば音声信号については、図７（ｃ）のＴ２期間のみ記録するような例も考えられる。
【００７７】
６．動画撮影モード
本例のビデオカメラでの動画撮影モードとしての記録動作例を、図８（ａ）（ｂ）にタイプ１、タイプ２として示す。
これらの動作例は基本的には動画撮影モード時には動画像信号と音声信号の両方を記録していくようにしている。
【００７８】
［タイプ１］
図８（ａ）のタイプ１の記録動作は、レリーズキー３０１を撮影動作の開始及び終了操作の操作子として扱う例である。
即ち、メインダイヤル３００により記録スタンバイとされている期間（ｔＳＴ〜ｔＳＴＥ）であって、撮影モードセレクタ３０２によって動画撮影モードが選択されている場合は、図示するようにレリーズキー３０１が押されたタイミングＲＳにおいて、その時点からカメラブロック２から取り込まれてエンコードされていく画像信号がディスク５１に記録されていくとともに、マイクロホン２０２から集音され、エンコードされた音声信号がディスク５１に記録されていく。
そして、この記録動作中において再度レリーズキー３０１が押されると、それは記録終了操作として扱われ、記録が停止される。つまりその時点以降に入力される動画像信号及び音声信号のディスク９０への記録は行われない。
【００７９】
［タイプ２］
図８（ｂ）のタイプ２の記録動作は、レリーズキー３０１を撮影動作継続の操作子として扱う例である。
即ち、メインダイヤル３００により記録スタンバイとされている期間（ｔＳＴ〜ｔＳＴＥ）であって、撮影モードセレクタ３０２によって動画撮影モードが選択されている場合は、図示するようにレリーズキー３０１が押し続けられている期間ＲＳＣにおいて、カメラブロック２から取り込まれエンコードされていく画像信号、及びマイクロホン２０２から入力されエンコードされた音声信号を、ディスク５１に記録していく。レリーズキーの押圧がやめられたら記録動作は終了される。
【００８０】
なお、これらのタイプ１、タイプ２以外にも、動画撮影モードとしての動作例は考えられる。例えば音声信号については、記録を行わないような例も考えられる。
【００８１】
７．音声静止画間欠撮影モード
次に、本例の特徴的な動作となる音声静止画間欠撮影モードとしての記録動作を説明する。音声静止画間欠撮影モードとは、基本的には、記録開始操作から記録終了操作までの記録動作期間において、入力音声については継続的にディスク５１に記録していくが、その記録動作期間に静止画像を間欠的に記録する動作である。つまり記録動作期間にカメラブロック２から連続的に入力されている画像信号について或る特定の時点での静止画像信号を抽出し、それをディスク５１に記録する動作が行われる。
この音声静止画間欠撮影モードとしても多様な動作例が考えられ、どの動作が実際に採用されるものであってもよい。以下、モードＩ〜モードIII として各種の動作例を順次説明していく。
【００８２】
７−１  モードＩ（タイプ１〜タイプ３）
音声静止画間欠撮影モードにおけるモードＩとは、間欠的な静止画像信号の記録として、一定時間毎に静止画像信号の記録を行う動作例である。
このモードＩとしても各種タイプが考えられ、図９（ａ）（ｂ）（ｃ）にはタイプ１、タイプ２、タイプ３として３つの動作例をあげている。
【００８３】
［タイプ１］
まずモードＩにおけるタイプ１としての動作例を図９（ａ）及び図１０で説明する。
この動作例では、記録期間中には入力音声信号を継続的に記録していく一方、静止画像信号については、記録開始からある時間を経過した時点から一定時間毎に記録を行うようにしている。
即ち、メインダイヤル３００により記録スタンバイとされ、撮影モードセレクタ３０２によって音声静止画間欠撮影モードが選択されている場合は、レリーズキー３０１が押されるタイミングが記録開始タイミングｔｓとされ、図９（ａ）に示すように、タイミングｔｓから入力音声信号の記録が継続して実行されていく。
一方、静止画信号の記録はタイミングｔｓから特定の時間Ｔ４待機され、この時間Ｔ４を経過した時点から、時間Ｔ５毎に行われていくことになる。
このような動作が次にレリーズキー３０１が押されるタイミング、即ち記録終了タイミングｔｅまで実行される。
【００８４】
このようなタイプ１の動作を実現するためのビデオコントローラ３８等による制御処理を図１０に示す。
ビデオコントローラ３８は、音声静止画間欠撮影モードにおいてレリーズキー３０１が押されるという記録開始操作を検出したら、処理をステップＦ１０１からＦ１０２に進め、まず内部タイマＴのリセットを行いカウントスタートする。
続いてステップＦ１０３でマイクロホン２０２から入力されエンコードされる音声信号に関するディスク５１への記録動作を開始させる。
このように記録動作が開始されたら、ステップＦ１０４で記録終了操作（即ち再度のレリーズキー３０１の操作）を監視するとともに、ステップＦ１０５でタイマＴのカウントが時間Ｔ４に達したか否かを監視している。
【００８５】
ある時点で時間Ｔ４の経過が確認されたら、ステップＦ１０５からＦ１０６に進み、タイマＴを再びリセットしてカウントスタートさせるとともに、ステップＦ１０７で、その時点でカメラブロック２から取り込まれ、エンコードされる１フレーム分の画像信号、即ち静止画像信号をディスク５１に記録させる動作を実行させる。
その後はステップＦ１０８で記録終了操作（レリーズキー３０１の操作）を監視するとともに、ステップＦ１０９でタイマＴのカウントが時間Ｔ５に達したか否かを監視している。
そして時間Ｔ５の経過が確認されたら、ステップＦ１０９からＦ１０６に戻り、タイマＴをリセットしてカウントスタートさせるとともに、ステップＦ１０７で、その時点でカメラブロック２から取り込まれ、エンコードされる１フレーム分の画像信号、即ち静止画像信号をディスク５１に記録させる動作を実行させる。
【００８６】
ステップＦ１０４又はＦ１０８で記録終了操作が確認された際には、ステップＦ１１０に進んで、それまで継続していた入力音声信号のディスク５１への記録を終了させ、一連の記録動作を終了する。
以上の処理により、図９（ａ）に示したような、記録期間中に入力音声は継続してディスク５１に記録されるとともに、入力画像信号については、記録開始からＴ４時間を経過した時点を起点として、Ｔ５時間毎に静止画像信号としてディスク５１に記録されていく動作が実現される。
【００８７】
［タイプ２］
次に、モードＩにおけるタイプ２としての動作例を図９（ｂ）及び図１１で説明する。
この動作例では、記録期間中には入力音声信号を継続的に記録していく一方、静止画像信号については、記録開始時点から一定時間毎に記録を行うようにしている。
即ち、メインダイヤル３００により記録スタンバイとされ、撮影モードセレクタ３０２によって音声静止画間欠撮影モードが選択されている場合は、レリーズキー３０１が押された記録開始タイミングｔｓから、図９（ｂ）に示すように入力音声信号の記録が継続して実行され、一方、静止画信号の記録はタイミングｔｓから時間Ｔ５毎に行われていく。
このような動作が次にレリーズキー３０１が押される記録終了タイミングｔｅまで実行される。
【００８８】
このタイプ２の動作を実現するためのビデオコントローラ３８等による制御処理を図１１に示す。
ビデオコントローラ３８は、音声静止画間欠撮影モードにおいてレリーズキー３０１が押されるという記録開始操作を検出したら、処理をステップＦ１２１からＦ１２２に進め、マイクロホン２０２から入力されエンコードされる音声信号に関するディスク５１への記録動作を開始させる。
またこの時点でステップＦ１２３で、カメラブロック２から取り込まれ、エンコードされる１フレーム分の画像信号、即ち静止画像信号をディスク５１に記録させる動作を実行させる。
【００８９】
このように記録動作が開始されたら、ステップＦ１２４で内部のタイマＴをリセットしてカウントスタートさせる。そしてステップＦ１２５で記録終了操作（レリーズキー３０１の操作）を監視するとともに、ステップＦ１２６でタイマＴのカウントが時間Ｔ５に達したか否かを監視する。
【００９０】
ある時点で時間Ｔ５の経過が確認されたら、ステップＦ１２６からＦ１２３に戻り、その時点でカメラブロック２から取り込まれ、エンコードされる１フレーム分の画像信号、即ち静止画像信号をディスク５１に記録させる動作を実行させる。
そしてステップＦ１２４でタイマＴを再びリセットしてカウントスタートさせるとともに、ステップＦ１２５，Ｆ１２６の監視処理を行う。
【００９１】
ステップＦ１２５で記録終了操作が確認された際には、ステップＦ１２７に進んで、それまで継続していた入力音声信号のディスク５１への記録を終了させ、一連の記録動作を終了する。
以上の処理により、図９（ｂ）に示したような、記録期間中に入力音声は継続してディスク５１に記録されるとともに、入力画像信号については、記録開始時点を起点として、Ｔ５時間毎に静止画像信号としてディスク５１に記録されていく動作が実現される。
【００９２】
［タイプ３］
次に、モードＩにおけるタイプ３としての動作例を図９（ｃ）及び図１２で説明する。
この動作例では、記録期間中には入力音声信号を継続的に記録していく一方、静止画像信号については、記録開始時点から一定時間毎に記録を行うようにしている。ただし記録開始時点では静止画像の記録を行わない例である。
即ち、メインダイヤル３００により記録スタンバイとされ、撮影モードセレクタ３０２によって音声静止画間欠撮影モードが選択されている場合は、レリーズキー３０１が押された記録開始タイミングｔｓから、図９（ｃ）に示すように入力音声信号の記録が継続して実行され、一方、静止画信号の記録はタイミングｔｓから時間Ｔ５を経過した時点を起点として時間Ｔ５経過毎に行われていく。
このような動作が次にレリーズキー３０１が押される記録終了タイミングｔｅまで実行される。
【００９３】
このようなタイプ３の動作を実現するためのビデオコントローラ３８等による制御処理を図１２に示す。
ビデオコントローラ３８は、音声静止画間欠撮影モードにおいてレリーズキー３０１が押されるという記録開始操作を検出したら、処理をステップＦ１４１からＦ１４２に進め、マイクロホン２０２から入力されエンコードされる音声信号に関するディスク５１への記録動作を開始させる。
【００９４】
このように記録動作が開始されたら、ステップＦ１４３で内部のタイマＴをリセットしてカウントスタートさせる。そしてステップＦ１４４で記録終了操作（レリーズキー３０１の操作）を監視するとともに、ステップＦ１４５でタイマＴのカウントが時間Ｔ５に達したか否かを監視する。
【００９５】
ある時点で時間Ｔ５の経過が確認されたら、ステップＦ１４５からＦ１４６に進み、その時点でカメラブロック２から取り込まれ、エンコードされる１フレーム分の画像信号、即ち静止画像信号をディスク５１に記録させる動作を実行させる。
そしてステップＦ１４３に戻ってタイマＴを再びリセットしてカウントスタートさせるとともに、ステップＦ１４４，Ｆ１４５の監視処理を行う。
【００９６】
ステップＦ１４４で記録終了操作が確認された際には、ステップＦ１４７に進んで、それまで継続していた入力音声信号のディスク５１への記録を終了させ、一連の記録動作を終了する。
以上の処理により、図９（ｃ）に示したような、記録期間中に入力音声は継続してディスク５１に記録されるとともに、入力画像信号については、記録開始時点からＴ５時間を経過した時点を起点として、Ｔ５時間毎に静止画像信号としてディスク５１に記録されていく動作が実現される。
【００９７】
以上、音声静止画間欠撮影モードにおいて、一定時間毎に静止画記録を行うモードＩとしての各種動作例をタイプ１〜タイプ３として説明したが、これ以外にも各種タイプの動作例が考えられる。
そして、このように一定時間毎に静止画記録を行うことにより、音声録音を主目的とする記録動作において、ユーザに操作負担なく間欠的に静止画像記録を行うことができる。
【００９８】
なお、静止画記録を行う一定時間間隔としてのＴ５時間の時間値や、上記タイプ１でのＴ４時間の時間値は、例えばユーザーが選択設定できるようにすることや、記録動作期間中にその時間値を変更できるようにすることなども考えられる。即ち静止画記録を行う時間間隔をユーザーの用途や好みに合わせて調節できるようにしてもよい。
さらにはディスク５１の記録可能な残り容量などに応じてビデオコントローラ３８等が自動的にＴ５時間の時間値を可変設定するようなことも考えられる。
【００９９】
７−２  モードII
音声静止画間欠撮影モードにおけるモードIIとは、間欠的な静止画像信号の記録として、ユーザーの操作に応じたタイミングで静止画像信号の記録を行う動作例である。
【０１００】
このモードIIにおける動作例を図１３及び図１４で説明する。
この動作例では、記録期間中には入力音声信号を継続的に記録していく一方、静止画像信号については、ユーザーが指示したタイミングで記録を行うようにしている。
【０１０１】
なお、この場合ユーザーの操作としては、記録開始／終了操作とは別に、静止画記録指示の操作が必要になるため、これらの操作が可能となる操作方式が設定されなければならない。
一例としては、記録開始／終了操作はレリーズキー３０１の２重押し（ダブルクリック）、静止画記録指示操作はレリーズキー３０１の１回押し（シングルクリック）などとして、レリーズキーのみで対応するようにしてもよい。もちろん逆でもよい。
または、レリーズキー３０１の短時間押し（例えば１秒未満の押圧）と、レリーズキー３０１の長時間押し（例えば１秒以上の継続押圧）により記録開始／終了操作と静止画記録指示操作を区別してもよい。
或いは、レリーズキー３０１とは別に、静止画記録指示のための専用操作子を設けるようにしてもよい。またはレリーズキー３０１を静止画記録指示のための操作子として、記録開始（音声記録の開始／終了）のために専用の操作子を設けてもよい。
さらには、例えばメインダイヤル３００が記録スタンバイ位置に回動されることを電源オンとともに音声記録の開始を指示する操作、電源オフ位置に戻されることを電源オフとともに音声記録動作を終了させる操作と設定し、この音声記録を実行している間においてレリーズキー３０１が押されることを静止画記録指示操作と判断するようにしてもよい。
【０１０２】
以下の説明では、仮に、記録開始／終了操作はレリーズキー３０１の２重押し、静止画記録指示操作はレリーズキー３０１の１回押しという操作方式が採用されているものとして述べていく。
【０１０３】
この動作例では、メインダイヤル３００により記録スタンバイとされ、撮影モードセレクタ３０２によって音声静止画間欠撮影モードが選択されている場合は、レリーズキー３０１が２重押しされるタイミングが記録開始タイミングｔｓとされ、図１３に示すように、タイミングｔｓから入力音声信号の記録が継続して実行されていく。
一方、静止画信号の記録は、ユーザーがレリーズキーを１回押し操作を行うタイミングＲＳにおいて実行されていくことになる。
このような動作が次にレリーズキー３０１が２重押しされるタイミング、即ち記録終了タイミングｔｅまで実行される。
【０１０４】
このような動作を実現するためのビデオコントローラ３８等による制御処理を図１４に示す。
ビデオコントローラ３８は、音声静止画間欠撮影モードにおいて、例えばレリーズキー３０１が２重押しされるという記録開始操作を検出したら、処理をステップＦ２０１からＦ２０２に進め、マイクロホン２０２から入力されエンコードされる音声信号に関するディスク５１への記録動作を開始させる。
このように記録動作が開始されたら、ステップＦ２０３で記録終了操作（例えばレリーズキー３０１の２重押し操作）を監視するとともに、ステップＦ２０４で静止画記録指示操作（例えばレリーズキー３０１の１回押し操作）を監視している。
【０１０５】
ある時点で静止画記録指示操作が行われたら、ステップＦ２０４からＦ２０５に進み、その時点でカメラブロック２から取り込まれ、エンコードされる１フレーム分の画像信号、即ち静止画像信号をディスク５１に記録させる動作を実行させる。
その後は再びステップＦ２０３、Ｆ２０４の監視処理を行う。
ステップＦ２０３で記録終了操作が確認された際には、ステップＦ２０６に進んで、それまで継続していた入力音声信号のディスク５１への記録を終了させ、一連の記録動作を終了する。
【０１０６】
以上の処理により、図１３に示したような、記録期間中に入力音声は継続してディスク５１に記録されるとともに、入力画像信号については、ユーザーの指示したタイミングで静止画像信号としてディスク５１に記録されていく動作が実現される。
【０１０７】
以上、音声静止画間欠撮影モードにおいて、ユーザーの指示に応じて静止画記録を行うモードIIとしての動作例を説明したが、これ以外にも各種タイプの動作例が考えられる。もちろん静止画記録指示操作は上記以外にも各種考えられる。
そして、このようにユーザー指示に基づいて静止画記録を行うことにより、音声録音を主目的とする記録動作において、ユーザにとって好適なタイミング、例えば音声だけでなく画像もあとで確認したいと思われるようなタイミングで静止画像記録を行うことができる。
【０１０８】
７−３  モードIII （タイプ１〜タイプ３）
音声静止画間欠撮影モードにおけるモードIII とは、間欠的な静止画像信号の記録として、入力画像信号の状態に応じて静止画像信号の記録を行う動作例である。
より具体的な例としては、カメラブロック２から供給されエンコードされる画像信号としての情報量の変化を監視して静止画記録タイミングを得るものである。入力された画像信号に対しては上述したようにＭＰＥＧ２エンコードとしての圧縮処理が行われるが、この圧縮を行う過程で、画像の情報量の変化量を知ることができる。そして、この情報量が一時的に多くなり、その後情報量が減るという変化は、撮影される画像としての大きな変化、即ち場面転換、シーンチェンジが起こったタイミングといえるものである。
従ってそのようなタイミングを検出して静止画記録を行うことで、シーンチェンジ等に応じた画像記録が可能となる。
このモードIII としても各種タイプが考えられ、図１５（ｂ）（ｃ）（ｄ）にはタイプ１、タイプ２、タイプ３として３つの動作例をあげている。また図１５（ａ）は、入力される画像信号の情報量変化を示している。
【０１０９】
［タイプ１］
まずモードIII におけるタイプ１としての動作例を図１５（ａ）（ｂ）及び図１６で説明する。
この動作例では、記録期間中には入力音声信号を継続的に記録していく一方、静止画像信号については、画像信号の情報量が一時的に多くなり、その後情報量が少なくなって安定した時点で、記録を行うようにしている。
【０１１０】
即ち、メインダイヤル３００により記録スタンバイとされ、撮影モードセレクタ３０２によって音声静止画間欠撮影モードが選択されている場合は、図１５（ｂ）に示すように、レリーズキー３０１が押された記録開始タイミングｔｓから入力音声信号の記録が継続して実行されていく。
一方、静止画信号の記録に関しては図１５（ａ）のような入力画像信号の情報量を監視しており、情報量が一旦あるスレッショルドレベルＬｔｈを越えるほど多くなり、その後スレッショルドレベルＬｔｈより少なくなったタイミングＴＤから、時間Ｔ６を経過した時点で、記録を行う。
この静止画記録タイミングは、撮影画像としてのシーンチェンジが完了した時点のタイミングということができる。
このような動作が次にレリーズキー３０１が押されるタイミング、即ち記録終了タイミングｔｅまで実行される。
【０１１１】
このタイプ１の動作を実現するためのビデオコントローラ３８等による制御処理を図１６に示す。
ビデオコントローラ３８は、音声静止画間欠撮影モードにおいてレリーズキー３０１が押されるという記録開始操作を検出したら、処理をステップＦ３０１からＦ３０２に進め、マイクロホン２０２から入力されエンコードされる音声信号に関するディスク５１への記録動作を開始させる。
このように記録動作が開始されたら、ステップＦ３０３で記録終了操作（レリーズキー３０１の操作）を監視するとともに、ステップＦ３０４で画像信号の情報量がスレッショルドレベルＬｔｈを越えているか否かを監視する。
【０１１２】
ある時点で画像信号の情報量がスレッショルドレベルＬｔｈを越えたことが確認されたら、ステップＦ３０４からＦ３０５に進み、記録終了操作（レリーズキー３０１の操作）を監視するとともに、ステップＦ３０６で画像信号の情報量がスレッショルドレベルＬｔｈより少なくなったか否かを監視する。
そしてある時点で画像信号の情報量がスレッショルドレベルＬｔｈより少なくなったことが確認されたら、ステップＦ３０６からＦ３０７に進み、内部タイマＴをリセットしてカウントスタートさせるとともに、ステップＦ３０８で記録終了操作（レリーズキー３０１の操作）の監視、及びステップＦ３０９ででタイマＴのカウントが時間Ｔ６に達したか否かを監視する。
そして時間Ｔ６の経過が確認されたら、ステップＦ３０９からＦ３１０に進み、その時点でカメラブロック２から取り込まれ、エンコードされる１フレーム分の画像信号、即ち静止画像信号をディスク５１に記録させる動作を実行させる。そしてステップＦ３０３に戻る。
【０１１３】
ステップＦ３０３又はＦ３０５又はＦ３０８で記録終了操作が確認された際には、ステップＦ３１１に進んで、それまで継続していた入力音声信号のディスク５１への記録を終了させ、一連の記録動作を終了する。
以上の処理により、図１５（ｂ）に示したような、記録期間中に入力音声は継続してディスク５１に記録されるとともに、入力画像信号については、シーンチェンジと考えられるタイミング毎に静止画像信号としてディスク５１に記録されていく動作が実現される。
【０１１４】
［タイプ２］
次にモードIII におけるタイプ２としての動作例を図１５（ａ）（ｃ）及び図１７で説明する。
この動作例では、記録期間中には入力音声信号を継続的に記録していく一方、静止画像信号については、画像信号の情報量が一時的に多くなり、その後情報量が少なくなった時点で、記録を行うようにしている。
【０１１５】
即ち、メインダイヤル３００により記録スタンバイとされ、撮影モードセレクタ３０２によって音声静止画間欠撮影モードが選択されている場合は、図１５（ｃ）に示すように、レリーズキー３０１が押された記録開始タイミングｔｓから入力音声信号の記録が継続して実行されていく。
一方、静止画信号の記録に関しては入力画像信号の情報量を監視しており、情報量が一旦あるスレッショルドレベルＬｔｈを越えるほど多くなり、その後スレッショルドレベルＬｔｈより少なくなった時点（タイミングＴＤ）で記録を行う。
この静止画記録タイミングは、撮影画像としてのシーンチェンジが行われた瞬間もしくは直後のタイミングということができる。
このような動作が次にレリーズキー３０１が押されるタイミング、即ち記録終了タイミングｔｅまで実行される。
【０１１６】
このタイプ２の動作を実現するためのビデオコントローラ３８等による制御処理を図１７に示す。
ビデオコントローラ３８は、音声静止画間欠撮影モードにおいてレリーズキー３０１が押されるという記録開始操作を検出したら、処理をステップＦ３２１からＦ３２２に進め、マイクロホン２０２から入力されエンコードされる音声信号に関するディスク５１への記録動作を開始させる。
このように記録動作が開始されたら、ステップＦ３２３で記録終了操作（レリーズキー３０１の操作）を監視するとともに、ステップＦ３２４で画像信号の情報量がスレッショルドレベルＬｔｈを越えているか否かを監視する。
【０１１７】
ある時点で画像信号の情報量がスレッショルドレベルＬｔｈを越えたことが確認されたら、ステップＦ３２４からＦ３２５に進み、記録終了操作（レリーズキー３０１の操作）を監視するとともに、ステップＦ３２６で画像信号の情報量がスレッショルドレベルＬｔｈより少なくなったか否かを監視する。
そしてある時点で画像信号の情報量がスレッショルドレベルＬｔｈより少なくなったことが確認されたら、ステップＦ３２６からＦ３２７に進み、その時点でカメラブロック２から取り込まれ、エンコードされる１フレーム分の画像信号、即ち静止画像信号をディスク５１に記録させる動作を実行させる。そしてステップＦ３２３に戻る。
【０１１８】
ステップＦ３２３又はＦ３２５で記録終了操作が確認された際には、ステップＦ３２８に進んで、それまで継続していた入力音声信号のディスク５１への記録を終了させ、一連の記録動作を終了する。
以上の処理により、図１５（ｃ）に示したような、記録期間中に入力音声は継続してディスク５１に記録されるとともに、入力画像信号については、シーンチェンジの瞬間もしくは直後と考えられるタイミング毎に静止画像信号としてディスク５１に記録されていく動作が実現される。
【０１１９】
［タイプ３］
次にモードIII におけるタイプ３としての動作例を図１５（ａ）（ｄ）及び図１８で説明する。
この動作例では、記録期間中には入力音声信号を継続的に記録していく一方、静止画像信号については、画像信号の情報量が一時的に多くなった時点で記録を行うようにしている。
【０１２０】
即ち、メインダイヤル３００により記録スタンバイとされ、撮影モードセレクタ３０２によって音声静止画間欠撮影モードが選択されている場合は、図１５（ｄ）に示すように、レリーズキー３０１が押された記録開始タイミングｔｓから入力音声信号の記録が継続して実行されていく。
一方、静止画信号の記録に関しては入力画像信号の情報量を監視しており、情報量が一旦あるスレッショルドレベルＬｔｈを越えるほど多くなった時点（タイミングＴＵ）で記録を行う。
この静止画記録タイミングは、撮影画像としての大きな画像変化が発生した瞬間のタイミングということができる。
このような動作が次にレリーズキー３０１が押されるタイミング、即ち記録終了タイミングｔｅまで実行される。
【０１２１】
このタイプ３の動作を実現するためのビデオコントローラ３８等による制御処理を図１８に示す。
ビデオコントローラ３８は、音声静止画間欠撮影モードにおいてレリーズキー３０１が押されるという記録開始操作を検出したら、処理をステップＦ３４１からＦ３４２に進め、マイクロホン２０２から入力されエンコードされる音声信号に関するディスク５１への記録動作を開始させる。
このように記録動作が開始されたら、ステップＦ３４３で記録終了操作（レリーズキー３０１の操作）を監視するとともに、ステップＦ３４４で画像信号の情報量がスレッショルドレベルＬｔｈを越えているか否かを監視する。
【０１２２】
ある時点で画像信号の情報量がスレッショルドレベルＬｔｈを越えたことが確認されたら、ステップＦ３４４からＦ３４５に進み、その時点でカメラブロック２から取り込まれ、エンコードされる１フレーム分の画像信号、即ち静止画像信号をディスク５１に記録させる動作を実行させる。そしてステップＦ３４６に進んで記録終了操作（レリーズキー３０１の操作）を監視するとともに、ステップＦ３４７で画像信号の情報量がスレッショルドレベルＬｔｈより少なくなったか否かを監視する。
ある時点で画像信号の情報量がスレッショルドレベルＬｔｈより少なくなったことが確認されたら、ステップＦ３４３に戻る。
【０１２３】
ステップＦ３４３又はＦ３４６で記録終了操作が確認された際には、ステップＦ３４８に進んで、それまで継続していた入力音声信号のディスク５１への記録を終了させ、一連の記録動作を終了する。
以上の処理により、図１５（ｄ）に示したような、記録期間中に入力音声は継続してディスク５１に記録されるとともに、入力画像信号については、大きな画像変化があった瞬間と考えられるタイミング毎に静止画像信号としてディスク５１に記録されていく動作が実現される。
【０１２４】
以上、音声静止画間欠撮影モードにおいて、入力画像信号の情報量変化に応じて静止画記録を行うモードIII としての各種動作例をタイプ１〜タイプ３として説明したが、これ以外にも各種タイプの動作例が考えられる。例えば情報量のピークと判断されるタイミングで静止画記録を行うようにしたり、スレッショルドレベルＬｔｈをこえたタイミングＴＵから一定時間後に静止画記録を行うようにしてもよい。
【０１２５】
そして、このように画像信号の状態に応じて静止画記録を行うことにより、音声録音を主目的とする記録動作において、ユーザに操作負担なく、しかも要所要所としての適切なタイミングでの静止画像記録を行うことができる。
例えば上記タイプ１では、ＯＨＰ画像やスライド映像を見ながら講演や講義を聴いている際に、その講演等の音声を録音できるとともに、ＯＨＰ画像が切り替わる毎にその画像を自動的に記録していくような、ユーザーにとって非常に有用な記録動作が実現される。
またタイプ２ではシーンチェンジの際の情景等を記録していくことができる。
さらにタイプ３では、何らかの動きが発生した場面を撮影したい場合に有用である。例えば動物や昆虫などの動作の瞬間をねらって静止画像として記録したい場合などにも好適である。
【０１２６】
なお、スレッショルドレベルＬｔｈの設定により、静止画記録のタイミングを得るための場面変化の度合いを調節、設定できるが、これをユーザーが調整できるようにしてもよい。また上記タイプ１としてのＴ６時間の時間値についても、例えばユーザーが選択設定できるようにすることや、記録動作期間中にその時間値を変更できるようにすることなども考えられる。
【０１２７】
８．音声動画間欠撮影モード
次に、これも本例の特徴的な動作となる音声動画間欠撮影モードとしての記録動作を説明する。音声動画間欠撮影モードとは、基本的には、記録開始操作から記録終了操作までの記録動作期間において、入力音声については継続的にディスク５１に記録していくが、その記録動作期間に動画像を間欠的に記録する動作である。つまり記録動作期間にカメラブロック２から連続的に入力されている画像信号について、或る特定の期間において動画像信号をディスク５１に記録する動作が行われる。
この音声動画間欠撮影モードとしても多様な動作例が考えられ、どの動作が実際に採用されるものであってもよい。以下、モードＩ〜モードIII として各種の動作例を順次説明していく。
【０１２８】
８−１  モードＩ（タイプ１〜タイプ３）
音声動画間欠撮影モードにおけるモードＩとは、間欠的な動画像信号の記録として、特定の時間毎を開始タイミングとして一定期間、動画像信号の記録を行う動作例である。
このモードＩとしても各種タイプが考えられ、図１９（ａ）（ｂ）（ｃ）にはタイプ１、タイプ２、タイプ３として３つの動作例をあげている。
【０１２９】
［タイプ１］
まずモードＩにおけるタイプ１としての動作例を図１９（ａ）及び図２０で説明する。
この動作例では、記録期間中には入力音声信号を継続的に記録していく一方、動画像信号については、記録開始からある時間を経過した時点から、一定時間毎に所定期間づつ記録を行うようにしている。
即ち、メインダイヤル３００により記録スタンバイとされ、撮影モードセレクタ３０２によって音声動画間欠撮影モードが選択されている場合は、レリーズキー３０１が押されるタイミングが記録開始タイミングｔｓとされ、図１９（ａ）に示すように、タイミングｔｓから入力音声信号の記録が継続して実行されていく。
一方、動画像信号の記録はタイミングｔｓから時間Ｔ７だけ待機され、この時間Ｔ７を経過した時点から、時間Ｔ８毎のタイミングを起点として、Ｔ９時間づつ行われていくことになる。
このような動作が次にレリーズキー３０１が押されるタイミング、即ち記録終了タイミングｔｅまで実行される。
【０１３０】
このようなタイプ１の動作を実現するためのビデオコントローラ３８等による制御処理を図２０に示す。
ビデオコントローラ３８は、音声動画間欠撮影モードにおいてレリーズキー３０１が押されるという記録開始操作を検出したら、処理をステップＦ４０１からＦ４０２に進め、まず内部タイマＴのリセットを行いカウントスタートする。
続いてステップＦ４０３でマイクロホン２０２から入力されエンコードされる音声信号に関するディスク５１への記録動作を開始させる。
このように記録動作が開始されたら、ステップＦ４０４で記録終了操作（レリーズキー３０１の操作）を監視するとともに、ステップＦ４０５でタイマＴのカウントが時間Ｔ７に達したか否かを監視している。
【０１３１】
ある時点で時間Ｔ７の経過が確認されたら、ステップＦ４０５からＦ４０６に進み、タイマＴを再びリセットしてカウントスタートさせるとともに、ステップＦ４０７で、その時点でカメラブロック２から取り込まれ、エンコードされていく画像信号を動画像信号としてディスク５１に記録させる動作を開始させる。
その後はステップＦ４０８で記録終了操作（レリーズキー３０１の操作）を監視するとともに、ステップＦ４０９でタイマＴのカウントが時間Ｔ９に達したか否かを監視している。
そして時間Ｔ９の経過が確認されたら、ステップＦ４０９からＦ４１０に進み、そのときまで実行されていた動画像信号のディスク５１への記録動作を終了させる。つまり、Ｔ９時間の間にカメラブロック２から取り込まれた画像信号の記録が行われたことになる。
【０１３２】
動画像信号の記録を終了させたら、ステップＦ４１１で記録終了操作（レリーズキー３０１の操作）を監視するとともに、ステップＦ４１２でタイマＴのカウントが時間Ｔ８に達したか否かを監視する。
そして時間Ｔ８に達したら、ステップＦ４０６に戻り、タイマＴをリセットしてカウントスタートさせるとともに、ステップＦ４０７で、その時点から、カメラブロック２から取り込まれ、エンコードされていく動画像信号のディスク５１への記録動作を再開させる。以降同様にステップＦ４０６〜Ｆ４１２の処理で、Ｔ８時間毎に、Ｔ９時間（Ｔ８＞Ｔ９）づつの動画像信号の記録が行われていく。
【０１３３】
ステップＦ４０４又はＦ４１１で記録終了操作が確認された際には、ステップＦ４１４に進んで、それまで継続していた入力音声信号のディスク５１への記録を終了させ、一連の記録動作を終了する。
またステップＦ４０８で記録終了操作が確認された際には、そのときは動画像信号の記録中であるので、ステップＦ４１３で動画像信号の記録を終了させる。つまりその時点でカメラブロック２から取り込まれていた画像信号までをディスク５１に記録した時点で画像信号の記録を終える。そしてステップＦ４１４に進んで、それまで継続していた入力音声信号のディスク５１への記録を終了させ、一連の記録動作を終了する。
【０１３４】
以上の処理により、図１９（ａ）に示したような、記録期間中に入力音声は継続してディスク５１に記録されるとともに、入力画像信号については、記録開始からＴ７時間を経過した時点を起点として、Ｔ８時間毎にＴ９時間づつの動画像信号をディスク５１に記録されていく動作が実現される。
【０１３５】
［タイプ２］
次に、モードＩにおけるタイプ２としての動作例を図１９（ｂ）及び図２１で説明する。
この動作例では、記録期間中には入力音声信号を継続的に記録していく一方、動画像信号については、記録開始時点から一定時間毎に記録を行うようにしている。
即ち、メインダイヤル３００により記録スタンバイとされ、撮影モードセレクタ３０２によって音声動画間欠撮影モードが選択されている場合は、レリーズキー３０１が押された記録開始タイミングｔｓから、図１９（ｂ）に示すように入力音声信号の記録が継続して実行され、一方、動画像信号の記録はタイミングｔｓからＴ８時間毎にそれぞれＴ９時間づつ行われていく。
このような動作が次にレリーズキー３０１が押される記録終了タイミングｔｅまで実行される。
【０１３６】
このようなタイプ２の動作を実現するためのビデオコントローラ３８等による制御処理を図２１に示す。
ビデオコントローラ３８は、音声動画間欠撮影モードにおいてレリーズキー３０１が押されるという記録開始操作を検出したら、処理をステップＦ４２１からＦ４２２に進め、マイクロホン２０２から入力されエンコードされる音声信号に関するディスク５１への記録動作を開始させる。
またステップＦ４２３で内部のタイマＴをリセットしてカウントスタートさせるとともに、同じくこの時点からステップＦ４２４で、カメラブロック２から取り込まれ、エンコードされていく画像信号を、動画像信号としてディスク５１に記録させる動作を開始させる。
【０１３７】
動画像信号の記録を開始したら、ステップＦ４２５で記録終了操作（レリーズキー３０１の操作）を監視するとともに、ステップＦ４２６でタイマＴのカウントが時間Ｔ９に達したか否かを監視する。
そして時間Ｔ９の経過が確認されたら、ステップＦ４２６からＦ４２７に進み、そのときまで実行されていた動画像信号のディスク５１への記録動作を終了させる。つまり、Ｔ９時間の間にカメラブロック２から取り込まれた画像信号の記録が行われたことになる。
【０１３８】
動画像信号の記録を終了させたら、ステップＦ４２８で記録終了操作（レリーズキー３０１の操作）を監視するとともに、ステップＦ４２９でタイマＴのカウントが時間Ｔ８に達したか否かを監視する。
時間Ｔ８に達したら、ステップＦ４２３に戻り、タイマＴをリセットしてカウントスタートさせるとともに、ステップＦ４２４で、その時点から、カメラブロック２から取り込まれ、エンコードされていく動画像信号のディスク５１への記録動作を再開させる。以降同様にステップＦ４２３〜Ｆ４２９の処理で、Ｔ８時間毎に、Ｔ９時間（Ｔ８＞Ｔ９）づつの動画像信号の記録が行われていく。
【０１３９】
ステップＦ４２８で記録終了操作が確認された際には、ステップＦ４３１に進んで、それまで継続していた入力音声信号のディスク５１への記録を終了させ、一連の記録動作を終了する。
またステップＦ４２５で記録終了操作が確認された際には、そのときは動画像信号の記録中であるので、ステップＦ４３０で動画像信号の記録を終了させる。つまりその時点でカメラブロック２から取り込まれていた画像信号までをディスク５１に記録した時点で画像信号の記録を終える。そしてステップＦ４３１に進んで、それまで継続していた入力音声信号のディスク５１への記録を終了させ、一連の記録動作を終了する。
【０１４０】
以上の処理により、図１９（ｂ）に示したような、記録期間中に入力音声は継続してディスク５１に記録されるとともに、入力画像信号については、記録開始時点を起点として、Ｔ８時間毎にＴ９時間づつの動画像信号をディスク５１に記録されていく動作が実現される。
【０１４１】
［タイプ３］
次に、モードＩにおけるタイプ３としての動作例を図１９（ｃ）及び図２２で説明する。
この動作例では、記録期間中には入力音声信号を継続的に記録していく一方、動画像信号については、記録開始時点から一定時間毎に記録を行うようにしている。ただし記録開始時点直後の期間では動画像信号の記録を行わない例である。
即ち、メインダイヤル３００により記録スタンバイとされ、撮影モードセレクタ３０２によって音声動画間欠撮影モードが選択されている場合は、レリーズキー３０１が押された記録開始タイミングｔｓから、図１９（ｃ）に示すように入力音声信号の記録が継続して実行され、一方、動画像信号の記録はタイミングｔｓから時間Ｔ８を経過した時点を起点として時間Ｔ８経過毎に、それぞれＴ９時間づつ行われていく。
このような動作が次にレリーズキー３０１が押される記録終了タイミングｔｅまで実行される。
【０１４２】
このタイプ３の動作を実現するためのビデオコントローラ３８等による制御処理を図２２に示す。
ビデオコントローラ３８は、音声動画間欠撮影モードにおいてレリーズキー３０１が押されるという記録開始操作を検出したら、処理をステップＦ４４１からＦ４４２に進め、内部のタイマＴをリセットしてカウントスタートさせる。そしてステップＦ４４３でマイクロホン２０２から入力されエンコードされる音声信号に関するディスク５１への記録動作を開始させる。
【０１４３】
このように記録動作が開始されたら、ステップＦ４４４で記録終了操作（レリーズキー３０１の操作）を監視するとともに、ステップＦ４４５でタイマＴのカウントが時間Ｔ８に達したか否かを監視する。
ある時点で時間Ｔ８の経過が確認されたら、ステップＦ４４５からＦ４４６に進み、タイマＴを再びリセットしてカウントスタートさせるとともに、その時点からカメラブロック２から取り込まれ、エンコードされていく画像信号を動画像信号としてディスク５１に記録させていく動作を開始させる。
【０１４４】
動画像信号の記録を開始したら、ステップＦ４４８で記録終了操作（レリーズキー３０１の操作）を監視するとともに、ステップＦ４４９でタイマＴのカウントが時間Ｔ９に達したか否かを監視する。
そして時間Ｔ９の経過が確認されたら、ステップＦ４４９からＦ４５０に進み、そのときまで実行されていた動画像信号のディスク５１への記録動作を終了させる。つまり、Ｔ９時間の間にカメラブロック２から取り込まれた画像信号の記録が行われたことになる。
【０１４５】
動画像信号の記録を終了させたら、ステップＦ４４４に戻って記録終了操作（レリーズキー３０１の操作）を監視するとともに、ステップＦ４４５でタイマＴのカウントが時間Ｔ８に達したか否かを監視する。
時間Ｔ８に達したら、上記同様にステップＦ４４６、Ｆ４４７と進む。即ち同様にステップＦ４４４〜Ｆ４５０の処理で、Ｔ８時間毎に、Ｔ９時間（Ｔ８＞Ｔ９）づつの動画像信号の記録が行われていく。
【０１４６】
ステップＦ４４４で記録終了操作が確認された際には、ステップＦ４５２に進んで、それまで継続していた入力音声信号のディスク５１への記録を終了させ、一連の記録動作を終了する。
またステップＦ４４８で記録終了操作が確認された際には、そのときは動画像信号の記録中であるので、ステップＦ４５１で動画像信号の記録を終了させる。つまりその時点でカメラブロック２から取り込まれていた画像信号までをディスク５１に記録した時点で画像信号の記録を終える。そしてステップＦ４５２に進んで、それまで継続していた入力音声信号のディスク５１への記録を終了させ、一連の記録動作を終了する。
【０１４７】
以上の処理により、図１９（ｃ）に示したような、記録期間中に入力音声は継続してディスク５１に記録されるとともに、入力画像信号については、記録開始時点からＴ８時間を経過した時点を起点として、Ｔ８時間毎にＴ９時間づつの動画像信号をディスク５１に記録されていく動作が実現される。
【０１４８】
以上、音声動画間欠撮影モードにおいて、特定の時間間隔毎に一定の時間づつ動画記録を行うモードＩとしての各種動作例をタイプ１〜タイプ３として説明したが、これ以外にも各種タイプの動作例が考えられる。
そして、このように特定の時間間隔毎に動画記録を行うことにより、音声録音を主目的とする記録動作において、ユーザに操作負担なく間欠的な動画記録を行うことができる。
【０１４９】
なお、動画記録を行う間隔としてのＴ８時間や、動画記録の実行期間となるＴ９時間としての時間値、さらに上記タイプ１におけるＴ７時間の時間値などは、例えばユーザーが選択設定できるようにすることや、記録動作期間中にその時間値を変更できるようにすることなども考えられる。即ち動画記録を行う時間間隔や記録時間をユーザーの用途や好みに合わせて調節できるようにしてもよい。
さらにはディスク５１の記録可能な残り容量などに応じてビデオコントローラ３８等が自動的にＴ８時間、Ｔ９時間の時間値を可変設定するようなことも考えられる。
【０１５０】
８−２  モードII（タイプ１、タイプ２）
音声動画間欠撮影モードにおけるモードIIとは、間欠的な動画像信号の記録として、ユーザーの操作に応じたタイミングで動画像信号の記録を行う動作例である。
即ち、記録期間中には入力音声信号を継続的に記録していく一方、動画像信号については、ユーザーが指示したタイミングから記録を行うようにしている。
なお、このモードIIにおける動作例として図２３（ａ）（ｂ）にタイプ１、タイプ２を示す。
【０１５１】
［タイプ１］
モードIIにおけるタイプ１としての動作を図２３（ａ）、図２４で説明する。
このタイプ１の記録動作は、ユーザーの記録開始操作により音声信号の記録を継続的に行うとともに、ユーザーの動画記録開始指示操作が行われたタイミングから動画記録終了指示操作が行われるまでの期間において、動画記録を行うものである。
【０１５２】
なお、この場合ユーザーの操作としては、記録開始／終了操作とは別に、動画記録開始指示／終了指示の操作が必要になるため、これらの操作が可能となる操作方式が設定されなければならない。
一例としては、記録開始／終了操作はレリーズキー３０１の２重押し（ダブルクリック）、動画記録開始指示／終了指示操作はレリーズキー３０１の１回押し（シングルクリック）などとして（逆も可）、レリーズキーのみで対応する方式がある。
または、レリーズキー３０１の短時間押し（例えば１秒未満の押圧）と、レリーズキー３０１の長時間押し（例えば１秒以上の継続押圧）により記録開始／終了操作と動画記録開始指示／終了指示操作を区別してもよい。
或いは、レリーズキー３０１とは別に、動画記録開始指示／終了指示操作のための専用操作子を設けるようにしてもよい。またはレリーズキー３０１を動画記録開始指示／終了指示のための操作子として、記録開始（音声記録の開始／終了）のために専用の操作子を設けてもよい。
さらには、例えばメインダイヤル３００が記録スタンバイ位置に回動されることを電源オンとともに音声記録の開始を指示する操作、電源オフ位置に戻されることを電源オフとともに記録動作を終了させる操作と設定し、音声記録を実行している間においてレリーズキー３０１が押されることを動画記録開始指示／終了指示操作と判断するようにしてもよい。
【０１５３】
以下の説明では、仮に、記録開始／終了操作はレリーズキー３０１の２重押し、動画記録開始指示／終了指示操作はレリーズキー３０１の１回押しという操作方式が採用されているものとして述べていく。
【０１５４】
モードIIにおけるタイプ１としての動作では、メインダイヤル３００により記録スタンバイとされ、撮影モードセレクタ３０２によって音声動画間欠撮影モードが選択されている場合、レリーズキー３０１が２重押しされるタイミングが記録開始タイミングｔｓとされ、図２３（ａ）に示すように、タイミングｔｓから入力音声信号の記録が継続して実行されていく。
一方、動画信号の記録は、ユーザーが動画記録開始指示操作としてレリーズキーを１回押し操作を行うタイミングＲＳにおいて開始され、動画記録終了指示操作としてレリーズキーを再び１回押し操作を行う次のタイミングＲＳにおいて終了されることになる。
このような動作が次にレリーズキー３０１が２重押しされるタイミング、即ち記録終了タイミングｔｅまで実行される。
【０１５５】
このような動作を実現するためのビデオコントローラ３８等による制御処理を図２４に示す。
ビデオコントローラ３８は、音声動画間欠撮影モードにおいてレリーズキー３０１が２重押しされるという記録開始操作を検出したら、処理をステップＦ５０１からＦ５０２に進め、マイクロホン２０２から入力されエンコードされる音声信号に関するディスク５１への記録動作を開始させる。
このように記録動作が開始されたら、ステップＦ５０３で記録終了操作（例えばレリーズキー３０１の２重押し操作）を監視するとともに、ステップＦ５０４で動画記録開始指示操作（例えばレリーズキー３０１の１回押し操作）を監視している。
【０１５６】
ある時点で動画記録開始指示操作が行われたら、ステップＦ５０４からＦ５０５に進み、その時点から、カメラブロック２から取り込まれ、エンコードされていく画像信号を動画像信号としてディスク５１に記録させる動作を開始させる。
このように動画記録が開始されたら、ステップＦ５０６で記録終了操作（例えばレリーズキー３０１の２重押し操作）を監視するとともに、ステップＦ５０７で動画記録終了指示操作（例えばレリーズキー３０１の１回押し操作）を監視する。
そして動画記録終了指示操作が行われたら、ステップＦ５０８に進み、そのときまで実行されていた動画像信号のディスク５１への記録動作を終了させる。つまり、その動画記録開始指示操作のタイミングから動画記録終了指示操作のタイミングまでの期間にカメラブロック２から取り込まれた画像信号の記録が行われたことになる。
【０１５７】
動画像信号の記録を終了させたら、ステップＦ５０３に戻って同様の処理を行う。即ち同様にステップＦ５０３〜Ｆ５０８の処理で、ユーザーの指示した期間において動画像信号の記録が行われていく。
【０１５８】
ステップＦ５０３で記録終了操作が確認された際には、ステップＦ５１０に進んで、それまで継続していた入力音声信号のディスク５１への記録を終了させ、一連の記録動作を終了する。
またステップＦ５０６で記録終了操作が確認された際には、そのときは動画像信号の記録中であるので、ステップＦ５０９で動画像信号の記録を終了させる。つまりその時点でカメラブロック２から取り込まれていた画像信号までをディスク５１に記録した時点で画像信号の記録を終える。そしてステップＦ５１０に進んで、それまで継続していた入力音声信号のディスク５１への記録を終了させ、一連の記録動作を終了する。
【０１５９】
以上の処理により、図２３（ａ）に示したような、記録期間中に入力音声は継続してディスク５１に記録されるとともに、入力画像信号については、ユーザーの指示した期間に動画像信号としてディスク５１に記録されていく動作が実現される。
【０１６０】
［タイプ２］
図２３（ｂ）、図２５で、モードIIにおけるタイプ２としての動作例を説明する。
このタイプ２の記録動作は、動画記録は、ユーザーが動画記録実行指示操作を行っている期間において実行するものである。例えばレリーズキー３０１の継続押圧を動画記録実行指示操作として扱う。
即ち、メインダイヤル３００により記録スタンバイとされ、撮影モードセレクタ３０２によって音声動画間欠撮影モードが選択されている場合は、レリーズキー３０１が２重押しされるタイミングが記録開始タイミングｔｓとされ、図２３（ｂ）に示すように、タイミングｔｓから入力音声信号の記録が継続して実行されていく。
一方、動画像信号の記録としては、ユーザーが動画記録実行指示操作としてレリーズキー３０１が押し続けられている期間ＲＳＣにおいて、カメラブロック２から取り込まれエンコードされていく画像信号を動画像信号としてディスク５１に記録していく。レリーズキーの押圧がやめられたら動画像信号の記録は終了される。
このような動作が次にレリーズキー３０１が２重押しされるタイミング、即ち記録終了タイミングｔｅまで実行される。
【０１６１】
なお、記録開始／終了操作と、動画記録実行指示操作は、このようにレリーズキー３０１のみで対応させることもできるが、上記タイプ１で説明した場合と同様に多様な操作方式が考えられることはいうまでもない。
【０１６２】
このようなタイプ２の動作を実現するためのビデオコントローラ３８等による制御処理を図２５に示す。
ビデオコントローラ３８は、音声動画間欠撮影モードにおいてレリーズキー３０１が２重押しされるという記録開始操作を検出したら、処理をステップＦ５２１からＦ５２２に進め、マイクロホン２０２から入力されエンコードされる音声信号に関するディスク５１への記録動作を開始させる。
続いてステップＦ５２３で記録終了操作（レリーズキー３０１の２重押し操作）を監視するとともに、ステップＦ５２４で動画記録実行指示操作（レリーズキー３０１の押し込み操作）を監視している。
【０１６３】
ある時点で動画記録実行指示操作が開始されたら、ステップＦ５２４からＦ５２５に進み、その時点から、カメラブロック２から取り込まれ、エンコードされていく画像信号を動画像信号としてディスク５１に記録させる動作を開始させる。
このように動画記録が行われている期間は、ステップＦ５２６で動画記録実行指示操作が終了されることを監視している。即ちレリーズキー３０１が離されて押し込みが解除されるタイミングを監視する。
そして動画記録実行指示操作が終了されたら、ステップＦ５２７に進み、そのときまで実行されていた動画像信号のディスク５１への記録動作を終了させる。つまり、その動画記録実行指示操作が行われていた期間にカメラブロック２から取り込まれた画像信号の記録が行われたことになる。
【０１６４】
動画像信号の記録を終了させたら、ステップＦ５２３に戻って同様の処理を行う。即ち同様にステップＦ５２３〜Ｆ５２７の処理で、ユーザーの指示した期間において動画像信号の記録が行われていく。
ステップＦ５２３で記録終了操作が確認された際には、ステップＦ５２８に進んで、それまで継続していた入力音声信号のディスク５１への記録を終了させ、一連の記録動作を終了する。
【０１６５】
以上の処理により、図２３（ｂ）に示したような、記録期間中に入力音声は継続してディスク５１に記録されるとともに、入力画像信号については、ユーザーの指示した期間に動画像信号としてディスク５１に記録されていく動作が実現される。
【０１６６】
以上、音声動画間欠撮影モードにおいて、ユーザーの指示に応じて動画記録を行うモードIIとしての２つのタイプの動作例を説明したが、これ以外にも各種タイプの動作例が考えられる。例えば、上記タイプ１では、動画記録開始指示操作と動画記録終了指示操作を設定したが、動画記録開始指示操作が行われた後は、一定期間、動画記録を行ったら自動的に動画記録が終了されるようにすることも考えられる。
【０１６７】
そして、このモードIIの各種動作例のようにユーザー指示に基づいて動画記録を行うことにより、音声録音を主目的とする記録動作において、ユーザが望む期間について動画記録を行うことができる。
【０１６８】
８−３  モードIII （タイプ１〜タイプ３）
音声動画間欠撮影モードにおけるモードIII とは、間欠的な動画像信号の記録として、入力画像信号の状態に応じて動画像信号の記録を行う動作例である。
より具体的な例としては、カメラブロック２から供給されエンコードされる画像信号としての情報量の変化を監視して動画記録タイミングを得るものである。
即ち上記音声静止画間欠撮影モードにおけるモードIII として説明した場合と同様に、ＭＰＥＧ２エンコードとしての圧縮処理の過程で、画像の情報量の変化量を検知することで、撮影される画像としての変化、即ち場面転換やシーンチェンジが起こったタイミングを検出し、そのタイミングを基準にして動画記録を行うことで、シーンチェンジ等に応じた画像記録を可能とするものである。
このモードIII としても各種タイプが考えられ、図２６（ｂ）（ｃ）（ｄ）にはタイプ１、タイプ２、タイプ３として３つの動作例をあげている。また図２６（ａ）は、入力される画像信号の情報量変化を示している。
【０１６９】
［タイプ１］
まずモードIII におけるタイプ１としての動作例を図２６（ａ）（ｂ）及び図２７で説明する。
この動作例では、記録期間中には入力音声信号を継続的に記録していく一方、動画像信号については、画像信号の情報量が一時的に多くなり、その後情報量が少なくなって安定した時点から一定期間において記録を行うようにしている。
即ち、メインダイヤル３００により記録スタンバイとされ、撮影モードセレクタ３０２によって音声動画間欠撮影モードが選択されている場合は、図２６（ｂ）に示すように、レリーズキー３０１が押された記録開始タイミングｔｓから入力音声信号の記録が継続して実行されていく。
一方、動画像信号の記録に関しては入力画像信号の情報量を監視しており、情報量が一旦あるスレッショルドレベルＬｔｈを越えるほど多くなり、その後スレッショルドレベルＬｔｈより少なくなったタイミングＴＤから、時間Ｔ１０を経過した時点で、記録を開始する。そしてその記録動作をＴ１１時間だけ実行するものである。
この動画記録を開始するタイミングは、撮影画像としてのシーンチェンジが完了した時点のタイミングということができる。
このような動作が次にレリーズキー３０１が押されるタイミング、即ち記録終了タイミングｔｅまで実行される。
【０１７０】
このタイプ１の動作を実現するためのビデオコントローラ３８等による制御処理を図２７に示す。
ビデオコントローラ３８は、音声動画間欠撮影モードにおいてレリーズキー３０１が押されるという記録開始操作を検出したら、処理をステップＦ６０１からＦ６０２に進め、マイクロホン２０２から入力されエンコードされる音声信号に関するディスク５１への記録動作を開始させる。
このように記録動作が開始されたら、ステップＦ６０３で記録終了操作（レリーズキー３０１の操作）を監視するとともに、ステップＦ６０４で画像信号の情報量がスレッショルドレベルＬｔｈを越えているか否かを監視する。
【０１７１】
ある時点で画像信号の情報量がスレッショルドレベルＬｔｈを越えたことが確認されたら、ステップＦ６０４からＦ６０５に進み、記録終了操作（レリーズキー３０１の操作）を監視するとともに、ステップＦ６０６で画像信号の情報量がスレッショルドレベルＬｔｈより少なくなったか否かを監視する。
そしてある時点で画像信号の情報量がスレッショルドレベルＬｔｈより少なくなったことが確認されたら、ステップＦ６０６からＦ６０７に進み、内部タイマＴをリセットしてカウントスタートさせるとともに、ステップＦ６０８で記録終了操作（レリーズキー３０１の操作）の監視、及びステップＦ６０９ででタイマＴのカウントが時間Ｔ１０に達したか否かを監視する。
そして時間Ｔ１０の経過が確認されたら、ステップＦ６０９からＦ６１０に進み、再び内部タイマＴをリセットしてカウントスタートさせるとともに、ステップＦ６１１で、その時点からカメラブロック２によって取り込まれ、エンコードされていく画像信号を動画像信号としてディスク５１に記録させる動作を開始させる。
【０１７２】
その後はステップＦ６１２で記録終了操作（レリーズキー３０１の操作）を監視するとともに、ステップＦ６１３でタイマＴのカウントが時間Ｔ１１に達したか否かを監視している。
そして時間Ｔ１１の経過が確認されたら、ステップＦ６１３からＦ６１４に進み、そのときまで実行されていた動画像信号のディスク５１への記録動作を終了させる。つまり、画像信号の情報量が一旦増加し、その後スレッショルドレベルＬｔｈより少なくなった時点からＴ１０時間を経過したタイミングを起点として、Ｔ１１時間の間にカメラブロック２から取り込まれた画像信号の記録が行われたことになる。
【０１７３】
動画像信号の記録を終了させたら、ステップＦ６０３に戻って記録終了操作（レリーズキー３０１の操作）を監視するとともに、ステップＦ６０４で画像信号の情報量を監視する。即ち以降同様にステップＦ６０３〜Ｆ６１４の処理で、画像信号の情報量がスレッショルドレベルＬｔｈより少なくなった時点からＴ１０時間を経過したタイミングを起点として、Ｔ１１時間だけ動画像信号の記録が行われていく。
【０１７４】
ステップＦ６０３又はＦ６０５又はＦ６０８で記録終了操作が確認された際には、ステップＦ６１６に進んで、それまで継続していた入力音声信号のディスク５１への記録を終了させ、一連の記録動作を終了する。
またステップＦ６１２で記録終了操作が確認された際には、そのときは動画像信号の記録中であるので、ステップＦ６１５で動画像信号の記録を終了させる。つまりその時点でカメラブロック２から取り込まれていた画像信号までをディスク５１に記録した時点で画像信号の記録を終える。そしてステップＦ６１６に進んで、それまで継続していた入力音声信号のディスク５１への記録を終了させ、一連の記録動作を終了する。
【０１７５】
以上の処理により、図２６（ｂ）に示したような、記録期間中に入力音声は継続してディスク５１に記録されるとともに、入力画像信号については、入力画像信号については、シーンチェンジと考えられるタイミングから一定時間、動画像信号としてディスク５１に記録されていく動作が実現される。
【０１７６】
［タイプ２］
次にモードIII におけるタイプ２としての動作例を図２６（ａ）（ｃ）及び図２８で説明する。
この動作例では、記録期間中には入力音声信号を継続的に記録していく一方、動画像信号については、画像信号の情報量が一時的に多くなり、その後情報量が少なくなった時点から一定期間に、記録を行うようにしている。
即ち、メインダイヤル３００により記録スタンバイとされ、撮影モードセレクタ３０２によって音声動画間欠撮影モードが選択されている場合は、図２６（ｃ）に示すように、レリーズキー３０１が押された記録開始タイミングｔｓから入力音声信号の記録が継続して実行されていく。
一方、動画像信号の記録に関しては入力画像信号の情報量を監視しており、情報量が一旦あるスレッショルドレベルＬｔｈを越えるほど多くなり、その後スレッショルドレベルＬｔｈより少なくなった時点（タイミングＴＤ）で記録を開始する。そして時間Ｔ１１を経過したら記録を終了する。
この動画記録タイミングは、撮影画像としてのシーンチェンジが行われた瞬間もしくは直後のタイミングから一定時間ということができる。
このような動作が次にレリーズキー３０１が押されるタイミング、即ち記録終了タイミングｔｅまで実行される。
【０１７７】
このタイプ２の動作を実現するためのビデオコントローラ３８等による制御処理を図２８に示す。
ビデオコントローラ３８は、音声動画間欠撮影モードにおいてレリーズキー３０１が押されるという記録開始操作を検出したら、処理をステップＦ６２１からＦ６２２に進め、マイクロホン２０２から入力されエンコードされる音声信号に関するディスク５１への記録動作を開始させる。
このように記録動作が開始されたら、ステップＦ６２３で記録終了操作（レリーズキー３０１の操作）を監視するとともに、ステップＦ６２４で画像信号の情報量がスレッショルドレベルＬｔｈを越えているか否かを監視する。
【０１７８】
ある時点で画像信号の情報量がスレッショルドレベルＬｔｈを越えたことが確認されたら、ステップＦ６２４からＦ６２５に進み、記録終了操作（レリーズキー３０１の操作）を監視するとともに、ステップＦ６２６で画像信号の情報量がスレッショルドレベルＬｔｈより少なくなったか否かを監視する。
そしてある時点で画像信号の情報量がスレッショルドレベルＬｔｈより少なくなったことが確認されたら、ステップＦ６２６からＦ６２７に進み、内部タイマＴをリセットしてカウントスタートさせるとともに、ステップＦ６２８で、その時点からカメラブロック２によって取り込まれ、エンコードされていく画像信号を動画像信号としてディスク５１に記録させる動作を開始させる。
【０１７９】
その後はステップＦ６２９で記録終了操作（レリーズキー３０１の操作）を監視するとともに、ステップＦ６３０でタイマＴのカウントが時間Ｔ１１に達したか否かを監視している。
そして時間Ｔ１１の経過が確認されたら、ステップＦ６３１に進み、そのときまで実行されていた動画像信号のディスク５１への記録動作を終了させる。つまり、画像信号の情報量が一旦増加し、その後スレッショルドレベルＬｔｈより少なくなった時点を起点として、Ｔ１１時間の間にカメラブロック２から取り込まれた画像信号の記録が行われたことになる。
【０１８０】
動画像信号の記録を終了させたら、ステップＦ６２３に戻って記録終了操作（レリーズキー３０１の操作）を監視するとともに、ステップＦ６２４で画像信号の情報量を監視する。即ち以降同様にステップＦ６２３〜Ｆ６３１の処理で、画像信号の情報量がスレッショルドレベルＬｔｈより少なくなった時点を起点として、Ｔ１１時間だけ動画像信号の記録が行われていく。
【０１８１】
ステップＦ６２３又はＦ６２５で記録終了操作が確認された際には、ステップＦ６３３に進んで、それまで継続していた入力音声信号のディスク５１への記録を終了させ、一連の記録動作を終了する。
またステップＦ６２９で記録終了操作が確認された際には、そのときは動画像信号の記録中であるので、ステップＦ６３２で動画像信号の記録を終了させる。つまりその時点でカメラブロック２から取り込まれていた画像信号までをディスク５１に記録した時点で画像信号の記録を終える。そしてステップＦ６３３に進んで、それまで継続していた入力音声信号のディスク５１への記録を終了させ、一連の記録動作を終了する。
【０１８２】
以上の処理により、図２６（ｃ）に示したような、記録期間中に入力音声は継続してディスク５１に記録されるとともに、入力画像信号については、シーンチェンジの瞬間もしくは直後と考えられるタイミングを起点として一定時間だけ動画像信号としてディスク５１に記録されていく動作が実現される。
【０１８３】
［タイプ３］
次にモードIII におけるタイプ３としての動作例を図２６（ａ）（ｄ）及び図２９で説明する。
この動作例では、記録期間中には入力音声信号を継続的に記録していく一方、動画像信号については、画像信号の情報量が一時的に多くなった時点を起点として一定時間、記録を行うようにしている。
【０１８４】
即ち、メインダイヤル３００により記録スタンバイとされ、撮影モードセレクタ３０２によって音声動画間欠撮影モードが選択されている場合は、図２６（ｄ）に示すように、レリーズキー３０１が押された記録開始タイミングｔｓから入力音声信号の記録が継続して実行されていく。
一方、静止画信号の記録に関しては入力画像信号の情報量を監視しており、情報量が一旦あるスレッショルドレベルＬｔｈを越えるほど多くなった時点（タイミングＴＵ）で記録を開始する。そしてＴ１１時間を経過した時点で記録を終了させる。
この動画記録期間は、撮影画像としての大きな画像変化が発生した瞬間からの一定期間、つまり画像として最も動きの多い期間ということができる。
このような動作が次にレリーズキー３０１が押されるタイミング、即ち記録終了タイミングｔｅまで実行される。
【０１８５】
このタイプ３の動作を実現するためのビデオコントローラ３８等による制御処理を図２９に示す。
ビデオコントローラ３８は、音声動画間欠撮影モードにおいてレリーズキー３０１が押されるという記録開始操作を検出したら、処理をステップＦ６４１からＦ６４２に進め、マイクロホン２０２から入力されエンコードされる音声信号に関するディスク５１への記録動作を開始させる。
このように記録動作が開始されたら、ステップＦ６４３で記録終了操作（レリーズキー３０１の操作）を監視するとともに、ステップＦ６４４で画像信号の情報量がスレッショルドレベルＬｔｈを越えているか否かを監視する。
【０１８６】
ある時点で画像信号の情報量がスレッショルドレベルＬｔｈを越えたことが確認されたら、ステップＦ６４４からＦ６４５に進み、内部タイマＴをリセットしてカウントスタートさせるとともに、ステップＦ６４６で、その時点からカメラブロック２によって取り込まれ、エンコードされていく画像信号を動画像信号としてディスク５１に記録させる動作を開始させる。
【０１８７】
その後はステップＦ６４７で記録終了操作（レリーズキー３０１の操作）を監視するとともに、ステップＦ６４８でタイマＴのカウントが時間Ｔ１１に達したか否かを監視している。
そして時間Ｔ１１の経過が確認されたら、ステップＦ６４９に進み、そのときまで実行されていた動画像信号のディスク５１への記録動作を終了させる。つまり、画像信号の情報量がスレッショルドレベルＬｔｈを越えた時点を起点として、Ｔ１１時間の間にカメラブロック２から取り込まれた画像信号の記録が行われたことになる。
【０１８８】
動画像信号の記録を終了させたら、ステップＦ６４３に戻って記録終了操作（レリーズキー３０１の操作）を監視するとともに、ステップＦ６４４で画像信号の情報量を監視する。即ち以降同様にステップＦ６４３〜Ｆ６４９の処理で、画像信号の情報量がスレッショルドレベルＬｔｈを越えた時点を起点として、Ｔ１１時間だけ動画像信号の記録が行われていく。
【０１８９】
ステップＦ６４３で記録終了操作が確認された際には、ステップＦ６５１に進んで、それまで継続していた入力音声信号のディスク５１への記録を終了させ、一連の記録動作を終了する。
またステップＦ６４７で記録終了操作が確認された際には、そのときは動画像信号の記録中であるので、ステップＦ６５０で動画像信号の記録を終了させる。つまりその時点でカメラブロック２から取り込まれていた画像信号までをディスク５１に記録した時点で画像信号の記録を終える。そしてステップＦ６５１に進んで、それまで継続していた入力音声信号のディスク５１への記録を終了させ、一連の記録動作を終了する。
【０１９０】
以上の処理により、図２６（ｄ）に示したような、記録期間中に入力音声は継続してディスク５１に記録されるとともに、入力画像信号については、大きな画像変化があった瞬間と考えられるタイミングを起点として一定期間、動画像信号としてディスク５１に記録されていく動作が実現される。
【０１９１】
以上、音声動画間欠撮影モードにおいて、入力画像信号の情報量変化に応じて動画記録を行うモードIII としての各種動作例をタイプ１〜タイプ３として説明したが、これ以外にも各種タイプの動作例が考えられる。例えば情報量のピークと判断されるタイミングを起点として一定時間に動画記録を行うようにしたり、タイミングＴＵから一定時間後を起点として所定期間、動画記録を行うようにしてもよい。
【０１９２】
そして、このように画像信号の状態に応じて動画記録を行うことにより、音声録音を主目的とする記録動作において、ユーザに操作負担なく、しかも要所要所としての適切なタイミングでの動画像記録を行うことができる。
例えば上記タイプ１では、シーンチェンジがあった時点から一定時間について動画が自動的に記録されていくため、ユーザーにとって非常に有用な記録動作が実現される。
またタイプ２ではシーンチェンジの際の情景等を記録していくことができる。
さらにタイプ３では、撮影画像として最も動きの期間を動画として記録できる。
【０１９３】
なお、スレッショルドレベルＬｔｈの設定により、動画記録開始のタイミングを得るための場面変化の度合いを調節、設定できるが、これをユーザーが調整できるようにしてもよい。また上記タイプ１としてのＴ１０時間の時間値についても、例えばユーザーが選択設定できるようにすることや、記録動作期間中にその時間値を変更できるようにすることなども考えられる。もちろん記録を行う一定時間としての時間Ｔ１１をユーザーが可変設定できるようにしたり、例えばディスク５１の記録可能な残り容量に応じてビデオコントローラ３８が自動的に可変設定できるようにしてもよい。
【０１９４】
９．音声及び静止画の再生動作
続いて本例のビデオカメラにおける再生動作として特徴的な動作を説明していく。
まず、上記の音声静止画間欠記録モードでディスク５１に記録が行われたデータの再生動作について述べる。
図３０（ａ）は、音声静止画間欠記録モードの記録動作によって、連続的な音声信号と間欠的な静止画信号がディスク５１に記録されている例を模式的に示している。なお、この図はディスク５１上の記録領域を示すものではなく、記録の際における時間軸を基準として表している。即ち１回の記録動作により、音声信号については時点「０：００：００」から時点「０：０４：４９」（時分秒）まで記録が行われており、一方静止画像としては、例えば図９（ｂ）に示したような動作（音声静止画間欠記録モードＩ；タイプ２）で、時点「０：００：００」から１分毎のタイミングで記録が行われた状態を示しているものである。
【０１９５】
このように連続的な音声信号と間欠的な静止画像信号がディスク５１に記録されている場合の再生動作として、本例では画像優先再生と音声継続再生という２つの再生モードが用意されている。これは図６で説明した再生モードセレクタの操作によってユーザーがどちらの再生モードで再生を実行させるかを選択できるものである。
【０１９６】
なお、以下説明する再生動作は、ここで例示した音声静止画間欠記録モードＩ；タイプ２による記録が行われた場合だけでなく、前述したどのモード／タイプでの音声静止画間欠記録が行われた場合であっても実現できることはいうまでもない。
【０１９７】
［画像優先再生］
まず画像優先再生について図３０（ｂ）、図３１で説明する。
連続的な音声信号と間欠的な静止画像信号が記録されている場合の画像優先再生とは、記録されている各静止画像信号を順次一定期間づつ再生出力（表示出力）させるとともに、各静止画像信号の記録されたタイミングを基準として、その表示出力が行われている期間長に相当する期間分の音声信号の再生出力を行うものである。
即ち、１つの静止画像信号をＴ２０時間づつ表示出力するとすると、図３０（ａ）のように静止画像信号ＳＰ１〜ＳＰ５が記録された状態であるときは、図３０（ｂ）に示すように、静止画像信号ＳＰ１〜ＳＰ５のそれぞれが順次、Ｔ２０時間づつ再生出力される。
このとき音声出力に関しては、各静止画像信号に対応する音声信号部分として、それぞれＴ２０時間に相当する音声信号部分Ａ１〜Ａ５が抽出され、Ｔ２０時間の間に再生されている静止画像と同時に再生出力されることになる。
例えば図３０（ｂ）の例の場合、５つの静止画像がＴ２０時間づつ再生されるため、再生開始ＰＢｓｔから再生終了ＰＢｅｄまでの時間は、Ｔ２０×５となる。
【０１９８】
各静止画像信号に対応する音声信号部分、即ち各静止画像信号の記録されたタイミングを基準として抽出される音声信号区間とは、各種の例が考えられるが、例えば静止画像信号が記録されたタイミングから一定時間で記録された音声部分、もしくは静止画像信号が記録されたタイミングの前後での一定時間で記録された音声部分とすればよい。
ここでは一例として、図３０（ａ）の静止画像信号ＳＰ１〜ＳＰ５が記録されたタイミングをそれぞれ基準として、図示するように音声信号区間Ａ１〜Ａ５が、対応づけられるようにしている。即ち静止画像信号ＳＰ１に関しては、その静止画像信号ＳＰ１が記録されたタイミングからＴ２０時間経過するまでに記録された音声部分Ａ１が対応する音声信号区間とし、また、静止画像信号ＳＰ２〜ＳＰ５に関しては、その各静止画像信号が記録されたタイミングの前後としてのＴ２０時間の期間に記録された音声部分Ａ２〜Ａ５を、対応する音声信号区間としている。
【０１９９】
このような画像優先再生のためにビデオコントローラ３８，ドライバコントローラ４６が実行する制御処理は例えば図３１のようになる。
画像優先再生モードが選択されている状態で、音声静止画間欠記録モードで記録されたデータ部分の再生操作（再生キー３０６の操作）が行われると、処理はステップＦ７０１からＦ７０２に進み、まず最初の静止画像信号のディスク５１からの読出及び再生出力を開始する。即ち、メディアドライブ部４でディスクアクセス動作、読出動作、デコード動作が行われ、またビデオ信号処理部３でのデコード処理が行われて表示部６Ａ（及びビデオ出力端子Ｔ１）への静止画像出力が行われる。
また、ステップＦ７０３で、再生出力する静止画像信号に対応する音声信号区間のデータのアクセス／読出／デコードが行われて、スピーカ２０５（及びヘッドホン／ライン出力端子Ｔ２）からの音声出力が行われる。
【０２００】
このような再生出力を開始するとともにステップＦ７０４では内部タイマＴのリセット及びカウントスタートを行い、ステップＦ７０５で再生終了操作（停止キー３０７の操作）を監視するとともに、ステップＦ７０６でタイマＴがＴ２０時間に達したか否かを監視する。
ある時点でＴ２０時間に達すると、ステップＦ７０７に進み、続いて記録されている静止画が存在するか否かを判断し、存在すればステップＦ７０２に戻って、次の静止画の再生出力を開始する。
また、次の静止画の再生出力に合わせて、ステップＦ７０３でその静止画に対応する音声信号区間の再生出力を開始する。
【０２０１】
なお、図３１のフローチャートには表していないが、次の静止画信号に関してのディスクアクセスやデータ読出に関しては、その前の静止画像の表示出力中（つまりタイマＴが時間Ｔ２０に達する前）において実行しておき、バッファメモリ４２又は３２に蓄積しておけばよい。
画像データと音声データの互いの読出動作についても同様で、再生出力が同時にできるように、ディスク５１からのデータ読出やデコード処理に関しては、アクセス余裕のある時間において効率的に順次行ない、バファリングしておけばよい。後述する音声継続再生や、動画像信号と音声信号の再生出力における画像優先再生、音声継続再生の場合に関しても同様である。
【０２０２】
ステップＦ７０２〜Ｆ７０７の処理で、静止画像が順次Ｔ２０時間づつ再生され、それと同時に各静止画像に関連する音声出力が行われていくことになる。
ある時点でステップＦ７０５で再生終了操作が検出されたら、ステップＦ７０８で静止画及び音声の再生出力を終了させる。また記録された全ての静止画の再生が完了した時点では、ステップＦ７０７で否定結果が出ることになり、ステップＦ７０８で静止画及び音声の再生出力を終了させる。
【０２０３】
以上の処理により図３０（ｂ）のような画像優先再生が実現され、この場合、ユーザーは画像を確認していくことで、大まかに記録内容（音声記録内容）を確認できる。また静止画及び関連音声を順次確認することで、音声として再生させたい部分を探すことにも便利である。
もちろん記録した全部の音声は聞かなくてもよいが、画像のみを確認したい場合は好適な再生動作となる。
【０２０４】
なお、この画像優先再生の変形例としては各種考えられる。例えば各静止画像は一定時間づつ再生されるものとしたが、１つの静止画像の再生時間長をユーザーが可変設定できるようにしてもよい。また、一定時間づつではなく、例えばサーチキー３０８，３０９などを用いたユーザーの画像送り操作によって表示出力される静止画像が切り換えられていくようにしてもよい。
また画像優先再生の際には、音声再生出力は実行しないようにすることも考えられる。
【０２０５】
［音声継続再生］
続いて、連続的な音声信号と間欠的な静止画像信号がディスク５１に記録されている場合の再生動作として、音声継続再生が行われる場合の動作を図３０（ｃ）、図３２で説明する。
連続的な音声信号と間欠的な静止画像信号が記録されている場合の音声継続再生とは、基本的には記録されている音声信号を、その時間軸に沿って通常に再生出力していくものである。そして記録されている各静止画像信号については、その静止画像が記録された時点で記録された音声信号が再生出力されるタイミングから再生を行うようにする。
【０２０６】
即ち、図３０（ａ）のように４分４９秒の音声静止画間欠記録が行われた部分を再生することを考えると、音声再生は通常に行われるため、図３０（ｃ）に示すように、再生開始ＰＢｓｔから再生終了ＰＢｅｄまでが４分４９秒の時間長となる。ここで、各静止画信号ＳＰ１〜ＳＰ５に関しては、それぞれ図３０（ａ）に示すように記録開始時点を基準として「０：００：００」「０：０１：００」「０：０２：００」「０：０３：００」「０：０４：００」という各タイミングで記録が行われたものとなっている。
そのため再生時には、図３０（ｃ）に示すように、まず再生開始時点ＰＢｓｔを基準として「０：００：００」から静止画ＳＰ１が再生出力され、再生開始から１分経過した「０：０１：００」からは静止画ＳＰ２が再生出力され、再生開始から２分経過した「０：０２：００」からは静止画ＳＰ２が再生出力されるというように、順次音声出力のタイミングに合わせて再生が行われていく。
つまり、ユーザーは再生音声を聞きながら、その再生音声が記録された時点において記録された静止画を確認していくことができるものとなる。
【０２０７】
このような音声継続再生のためにビデオコントローラ３８，ドライバコントローラ４６が実行する制御処理は例えば図３２のようになる。
音声継続再生モードが選択されている状態で、音声静止画間欠記録モードで記録されたデータ部分の再生操作（再生キー３０６の操作）が行われると、処理はステップＦ７２１からＦ７２２に進み、まずディスク５１上において音声データの記録された先頭部分にアクセスが行われ、読出、デコード及び再生出力が開始される。
このような音声再生が開始されたら、ステップＦ７２３で再生終了操作（停止キー３０７の操作）、又は記録されている音声データの再生が終了したかを監視する。
【０２０８】
さらにステップＦ７２４では、現在再生出力している音声データに対応する静止画像信号が存在するか否かを判別する。
例えば上記図３０の例でいえば、音声再生開始の時点で静止画信号ＳＰ１が、現在再生出力している音声データに対応する静止画像信号と判断される。
このように対応する静止画の存在が確認されることに応じて、ステップＦ７２５の処理として、その対応する静止画信号のディスク５１からの読出、デコード、再生出力が実行される。
このステップＦ７２３〜Ｆ７２５の処理により、音声再生が進行していき、ある時点で次の対応する静止画が存在するタイミングで、表示出力される静止画が切り換えられるという、図３０（ｃ）に示した動作が行われていく。
ある時点でステップＦ７２３で再生終了操作もしくは再生完了が検出されたら、ステップＦ７２６で静止画及び音声の再生出力を終了させる。
【０２０９】
以上の処理により図３０（ｃ）のような音声継続再生が実現され、この場合、ユーザーは記録した音声を聞きながら、関連する画像を見ていくことができる。
なおユーザーが音声出力に関してサーチ操作を行った場合については説明を省略したが、その場合、音声出力の位置に関して早送り、早戻しが行われるとともに、サーチ中もしくはサーチ後の各時点において、それぞれ対応する静止画出力が行われればよい。
【０２１０】
１０．音声及び動画の再生動作
次にこれも本例のビデオカメラにおける再生動作として特徴的な動作を説明する。
これは、上述した音声動画間欠記録モードでディスク５１に記録が行われたデータの再生動作に関する。
図３３（ａ）は、音声動画間欠記録モードの記録動作によって、連続的な音声信号と間欠的な動画像信号がディスク５１に記録されている例を模式的に示している。なお、この図も図３０（ａ）と同様に、ディスク５１上の記録領域を示すものではなく、記録の際における時間軸を基準として表している。即ち１回の記録動作により、音声信号については時点「０：００：００」から時点「０：０４：２５」（時分秒）まで記録が行われており、一方動画像信号としては、例えば図１９（ｂ）に示したような動作（音声動画間欠記録モードＩ；タイプ２）で、時点「０：００：００」から１分毎のタイミングを起点として所定時間（例えば２５秒程度）づつ記録が行われた状態を示しているものである。
【０２１１】
このように連続的な音声信号と間欠的な動画像信号がディスク５１に記録されている場合の再生動作として、上記音声と静止画の場合と同様に、画像優先再生と音声継続再生という２つの再生モードが用意されている。即ち図６で説明した再生モードセレクタの操作によってユーザーがどちらの再生モードで再生を実行させるかを選択できる。
【０２１２】
なお、以下説明する再生動作は、ここで例示した音声動画間欠記録モードＩ；タイプ２による記録が行われた場合だけでなく、前述したどのモード／タイプでの音声動画間欠記録が行われた場合であっても実現できることはいうまでもない。
【０２１３】
［画像優先再生］
まず画像優先再生について図３３（ｂ）、図３４で説明する。
連続的な音声信号と間欠的な動画像信号が記録されている場合の画像優先再生とは、記録されている各動画像信号を順次連続的に再生出力（表示出力）させるとともに、各動画像信号が記録されていた期間に記録が行われた音声信号の再生出力を同時に行うものである。
即ち、図３３（ａ）のように動画像信号ＭＰ１〜ＭＰ５が間欠的に記録された状態であるときは、図３３（ｂ）に示すように、動画像信号ＭＰ１〜ＭＰ５のそれぞれを順次、連続的に再生出力される。
このとき音声出力に関しては、各動画像信号に対応する音声信号部分として、図３３（ａ）に示す音声信号部分Ａ１１〜Ａ１５が抽出され、図３３（ｂ）のように動画像と同時に再生出力されることになる。つまり動画記録が行われていなかった期間において記録された音声信号については再生が省略されるものとなる。
【０２１４】
このような画像優先再生のためにビデオコントローラ３８，ドライバコントローラ４６が実行する制御処理は例えば図３４のようになる。
画像優先再生モードが選択されている状態で、音声動画間欠記録モードで記録されたデータ部分の再生操作（再生キー３０６の操作）が行われると、処理はステップＦ８０１からＦ８０２に進み、まず最初の動画像信号の記録された区間（説明上、動画ブロックとも呼ぶ）についてディスク５１からの読出及び再生出力を開始する。即ち、図３３の例でいえば動画ブロックＭＰ１についての再生出力を行うための、メディアドライブ部４でディスクアクセス動作、読出動作、デコード動作が行われ、またビデオ信号処理部３でのデコード処理が行われて表示部６Ａ（及びビデオ出力端子Ｔ１）への動画像出力が行われる。
また、同時に、その動画ブロックに対応する音声信号区間のデータのアクセス／読出／デコードが行われて、スピーカ２０５（及びヘッドホン／ライン出力端子Ｔ２）からの音声出力が行われる。
なお動画像データと音声データが多重化されてディスク５１の同一エリアに記録される方式でない場合、（つまり、音声データと動画像データが別々のエリアに記録される場合）を想定して説明しているが、この場合は、動画像データと音声データの両方を連続的に同時に再生出力を行うために、ディスク５１からのデータの読出動作に関しては、高速で互いに交互に行い、バッファメモリ４２又は３２からの読出タイミングとして、同時的な再生出力が実現されるように時間的な同期をとることになる。
もちろん、記録の際の時間として対応する動画像データと音声データが多重化されてディスク５１の同一エリアに記録される方式が採用されることも考えられ、このような場合は、当然ながら交互の高速アクセスは必要ない。
【０２１５】
このような再生出力を開始したら、ステップＦ８０３で再生終了操作（停止キー３０７の操作）を監視するとともに、ステップＦ８０４では現在再生中の動画ブロックの再生出力が終了したか否かを監視する。
ある時点で１つの動画ブロックの再生出力を終了すると、ステップＦ８０５に進み、続いて記録されている動画ブロックが存在するか否かを判断し、存在すればステップＦ８０６でその動画ブロックへの記録位置にディスクアクセスを実行し、ステップＦ８０２に戻って、次の動画ブロック及び対応する音声信号区間の再生出力を開始する。
なお、次の動画ブロックに関してのディスクアクセスやデータ読出に関しては、その前の動画ブロックの再生出力が完了する前に行うようにすれば、表示出力として時間的なとぎれなく各動画ブロックを連続して表示させることができる。
【０２１６】
ステップＦ８０２〜Ｆ８０６の処理で、各動画ブロックが順次連続的に再生され、それと同時に表示されている動画に対応する音声信号の出力が行われていくことになる。
ある時点でステップＦ８０３で再生終了操作が検出されたら、ステップＦ８０７で動画及び音声の再生出力を終了させる。また記録された全ての動画ブロックの再生が完了した時点では、ステップＦ８０５で否定結果が出ることになり、ステップＦ８０７で動画及び音声の再生出力を終了させる。
【０２１７】
以上の処理により図３３（ｂ）のような画像優先再生が実現され、この場合、ユーザーは画像を確認していくことで、大まかに記録内容（音声記録内容）を確認できる。また動画及び関連音声を順次確認することで、音声として再生させたい部分を探すことにも便利である。
もちろん記録した全部の音声は聞かなくてもよいが、画像のみを確認したい場合は好適な再生動作となる。
なお、この画像優先再生の変形例としては各種考えられ、例えば画像優先再生の際には、音声再生出力は実行しないようにしてもよい。
【０２１８】
［音声継続再生］
続いて、連続的な音声信号と間欠的な動画像信号がディスク５１に記録されている場合の再生動作として、音声継続再生が行われる場合の動作を図３３（ｃ）、図３５で説明する。
連続的な音声信号と間欠的な動画像信号が記録されている場合の音声継続再生とは、基本的には記録されている音声信号を、その時間軸に沿って通常に再生出力していくものである。そして記録されている各動画像信号については、その動画像が記録された時点で記録された音声信号が再生出力されているタイミングに合わせて再生を行うようにする。
【０２１９】
即ち、図３３（ａ）のように４分２５秒の音声静止画間欠記録が行われた部分を再生することを考えると、音声再生は通常に行われるため、図３３（ｃ）に示すように、再生開始ＰＢｓｔから再生終了ＰＢｅｄまでが４分２５秒の時間長となる。ここで、各動画ブロックＭＰ１〜ＭＰ５に関しては、それぞれ図３３（ａ）に示すように記録開始時点を基準として「０：００：００」「０：０１：００」「０：０２：００」「０：０３：００」「０：０４：００」という各タイミングから一定時間、記録が行われたものとなっている。
そのため再生時には、図３３（ｃ）に示すように、まず再生開始時点ＰＢｓｔを基準として「０：００：００」から動画ブロックＭＰ１が再生出力される。ここで、ある時点で動画ブロックＭＰ１としてのデータ再生が終了しても、その時点では音声出力は次の動画ブロックに相当するタイミングに達していないことになり、このため、次の動画ブロックＭＰ２のタイミングに達するまでの再生期間は、現在の動画ブロックの最終フレームの画像をホールド出力（ＭＰ１ｒホールド）、即ち静止画像状態で出力しておく。
【０２２０】
その後、再生開始から１分経過した「０：０１：００」からは動画ブロックＭＰ２が再生出力され、同様に動画ブロックＭＰ２としてのデータ再生が終了したら、音声出力が次の動画ブロックに相当するタイミングに達するまで動画ブロックＭＰ２の最終フレームの画像をホールド出力（ＭＰ２ｒホールド）しておく。
このような動作が音声再生が終了されるまで繰り返される。これによりユーザーは再生音声を聞きながら、その再生音声が記録された時点において記録された動画を確認していくことができる。
【０２２１】
このような音声継続再生のためにビデオコントローラ３８，ドライバコントローラ４６が実行する制御処理は例えば図３５のようになる。
音声継続再生モードが選択されている状態で、音声動画間欠記録モードで記録されたデータ部分の再生操作（再生キー３０６の操作）が行われると、処理はステップＦ８２１からＦ８２２に進み、まずディスク５１上において音声データの記録された先頭部分にアクセスが行われ、読出、デコード及び再生出力が開始される。
このような音声再生が開始されたら、ステップＦ８２３で再生終了操作（停止キー３０７の操作）、又は記録されている音声データの再生が終了したかを監視する。
またステップＦ８２４では現在動画が通常再生出力中であるか否かにより処理を分岐する。
【０２２２】
動画の通常再生中でない時点（ホールド出力中を含む）では、処理はステップＦ８２４に進み、現在再生出力している音声データに対応する動画像信号が存在するか否かを判別する。
例えば上記図３３の例でいえば、音声再生開始の時点で動画ブロックＭＰ１が、現在再生出力している音声データに対応すると判断される。
このように対応する動画ブロックの存在が確認されることに応じて、ステップＦ８２６の処理として、その対応する動画ブロックのデータのディスク５１からの読出、デコード、再生出力が実行される。
【０２２３】
ステップＦ８２６で動画出力が開始された以降は、処理はステップＦ８２３，Ｆ８２４を経てＦ８２７に進み、再生中の動画ブロックの再生が終了されたか否かを判断することになる。
現在再生中の動画ブロックが終了したら、ステップＦ８２８に進み、動画ブロックの最後のフレームの画像をホールド出力し、静止画像として表示させる。そして以降ステップＦ８２３，Ｆ８２４を経てＦ８２５の判断を行うことになる。
【０２２４】
このステップＦ８２３〜Ｆ８２８の処理により、音声再生が進行していき、対応する動画ブロックが存在するタイミング毎に、各対応する動画ブロックの再生が行われていき、また、動画ブロック再生終了後は、次の動画ブロックに対応するタイミングまでホールド出力が行われるという、図３３（ｃ）に示した動作が行われていく。
ある時点でステップＦ８２３で再生終了操作もしくは音声再生完了が検出されたら、ステップＦ８２９で画像（通常動画もしくはホールド画像）及び音声の再生出力を終了させる。
【０２２５】
以上の処理により図３３（ｃ）のような音声継続再生が実現され、この場合、ユーザーは記録した音声を聞きながら、関連する動画像を見ていくことができる。
なおユーザーが音声出力に関してサーチ操作を行った場合については説明を省略したが、その場合、音声出力の位置に関して早送り、早戻しが行われるとともに、サーチ中もしくはサーチ後の各時点において、それぞれ対応する動画出力が行われればよい。
また、音声信号に対応する動画像信号が存在しない期間には、その直前の動画像信号のホールド出力を行うようにしたが、そのホールド出力画像を順次切り換えてもよい。つまり、直前の動画ブロック内のフレーム画像の中から例えば定期的に異なるフレーム画像を選択して順次ホールド出力してもよい。また、上記例でホールド出力とした期間は画像出力を行なわないという例も考えられる。
【０２２６】
１１．サムネイル画像記録
以上、本例として特徴的な記録動作、再生動作を述べてきたが、再生時の検索性を向上させる動作例として、記録時にいわゆるサムネイル画像を生成して記録しておくという動作方式も考えられる。これについて述べておく。
サムネイル画像とは、例えば１フレーム分の静止画像を縮小した画像であり、この画像をディスク５１上のアドレス（対応するタイミングでの音声データの記録アドレス）とともに記憶しておくことで、アイコン的な使用が可能となるものである。
【０２２７】
例えば図３７は、サムネイル画像を一覧表示した例を示しており、ユーザーはこのようなサムネイル画像の中から所望のサムネイル画像を選択することで、そのサムネイル画像に対応する音声や映像データが再生されるものである。
従って、記録時に間欠的に、カメラブロック２から取り込まれる画像信号を利用してサムネイル画像を生成し、記録しておけば、後の再生時において、ユーザーはそのサムネイル画像を見て選択することで再生させたい位置を指定でき、煩わしいサーチ操作（例えば再生内容を見聞きしながら早送り等を行って所望の再生位置を探す操作）を行わなくてもすむものとなる。
【０２２８】
記録時のサムネイル画像生成動作例を図３６に示す。
図３６（ａ）は、上述した音声静止画間欠撮影モードで記録する場合において、その記録する静止画像を利用してサムネイル画像を生成する例である。即ち上述のように静止画信号が間欠的に記録される際に、その静止画像を縮小したサムネイル画像信号を生成し、例えばディスク５１に記録する。このとき、そのサムネイル画像とともに、対応する静止画信号もしくは対応するタイミングの音声信号の記録位置としてのアドレスも記録しておく。
このようにしておけば、図３７のような一覧表示上で、ユーザーが再生させたい位置を選択することができる。
【０２２９】
図３６（ｂ）は、上述した音声動画間欠撮影モードで記録する場合において、その記録する動画像信号を利用してサムネイル画像を生成する例である。即ち上述のように動画像信号が間欠的に記録される際に、例えばその各動画ブロックの最初のフレームの画像信号を縮小してサムネイル画像信号を生成し、例えばディスク５１に記録する。もちろん、そのサムネイル画像とともに、対応する動画ブロックもしくは対応するタイミングの音声信号の記録位置としてのアドレスも記録しておくことで、図３７のような一覧表示上で、ユーザーが再生させたい位置を選択することができる。
【０２３０】
図３６（ｃ）は、静止画や動画については記録を行わず、音声を連続記録するとともにサムネイル画像を間欠記録する例である。
サムネイル画像の記録タイミングについては、上述した音声静止画間欠撮影モードにおける静止画記録タイミングと同様に各種考えられる。
そしてＴ１２時間毎の間欠的な各タイミングにおいて、カメラブロック２から取り込まれる画像信号を利用してサムネイル画像を生成し、対応するタイミングでの音声データの記録位置アドレスとともにディスク５１に記録するものである。
【０２３１】
以上本発明の記録装置、再生装置の実施の形態としてのビデオカメラについて説明してきたが、本発明としては上記した構成に限定されるものではなく各種変更が可能とされる。例えば、実施の形態のビデオカメラとしては、ビデオ記録再生部位として、ＭＤ−ＤＡＴＡ２に基づくディスク記録再生装置としたが、他の種類のディスク状記録媒体に対応する記録再生装置とされても構わない。また、テープ状記録媒体などディスク状記録媒体以外の種類の記録媒体に対応するものとされても構わない。
更に、動画像データを圧縮するために実施の形態では、ＭＰＥＧ２方式を採用するものとして説明したが、画像圧縮方式が特に限定されるものではない。また、静止画データ及び音声データについての圧縮方式も、実施の形態として例示したもの（ＪＰＥＧ，ＡＴＲＡＣ２等）に限定されるものではない。
また、各動作例における操作方式（例えばレリーズキー３０１を用いるとして説明した各種操作）などは、装置の形状や用いられる操作子の種類や数によって他の操作方式が考えられることはいうまでもない。また各動作例においてフローチャートで示した処理手順も、それらに限定されず、各種変形例が考えられる。
【０２３２】
【発明の効果】
以上説明したように本発明の記録装置は、記録動作期間において、音声信号を連続的に記録媒体に記録させるとともに、その記録動作期間中に画像信号を間欠的に記録媒体に記録させるようにしている。
また再生装置は、記録媒体からの信号読出動作及びデコード処理を制御することで、音声出力手段から出力される音声信号と、画像出力手段から出力される画像信号としての信号部分及び／又は出力タイミングを設定し、連続的な音声信号と間欠的な静止画像信号の同時的な関連出力を実行させるようにしている。
これにより、例えば講義、会議、プレゼンテーション、さらには一般ユーザーの多様な音声収集などとしての記録／再生に好適な記録装置、再生装置を実現できる。
即ち、音声を記録するとともに、その記録した音声の或る部分の記録位置や、音声で記録されている内容をより明確にするための画像をユーザーが確認できるようになり、音声を主とする記録再生動作の利便性、操作性（特に所望の位置のサーチなど）、記録内容の多様性、再生時点での記録内容のわかりやすさなどを、著しく向上させることができるという効果がある。例えば音声だけではわかりにくいような記録内容についても、その時点での画像が記録されていることで、わかりやすいものとなる。
さらに、比較的データ量の大きい画像情報について間欠的に記録するということは、連続的に画像記録を行うものと比較して、長時間記録を実現できることにもなり、特に過般型のディスクメディアを用いたシステムとして好適である。
【０２３３】
また間欠的に記録させる静止画像信号や動画像信号については、特定の時間間隔毎のタイミング（又はそのタイミングからの或る期間）において記録されるようにすることで、ユーザに操作負担なく画像記録を行うことができる。
また間欠的に記録させる静止画像信号や動画像信号については、特定の操作入力に応じたタイミング（又は特定の操作で決められる期間）において記録されるようにすることで、ユーザーが所望した時点での画像を記録することができる。
さらに間欠的に記録させる静止画像信号や動画像信号については、画像信号の状態に応じて設定されるタイミング（又はそのタイミングからの或る期間）において記録されるようにすることで、撮影される画像として例えばシーンが大きく変化した際など、要所要所のタイミングで、かつユーザーに操作負担なく、画像を記録することが可能となる。
また再生装置による音声と画像の同時的な関連出力として、記録媒体に記録されている音声信号を連続的に再生出力させるとともに、その音声信号の記録動作期間に記録された各静止画像信号もしくは動画像信号を、それぞれ記録の際のタイミングが時間的に対応する音声信号の再生タイミングから継続出力させることで、ユーザーは再生音声を聴きながら、その音声記録時の画像を確認することができ、記録内容の把握に好適となる。
【０２３４】
さらに、記録媒体に記録されている各静止画像信号を、それぞれ順次、再生出力させるとともに、その各静止画像信号の記録タイミングに対応する音声信号部分を、各静止画像信号の再生出力タイミングにあわせて再生出力させたり、もしくは各動画像信号を、順次再生出力させるとともに、その各動画像信号の記録タイミングに対応する音声信号部分を、各動画像信号の再生出力タイミングにあわせて再生出力させることで、補助的に記録された画像を効率よく確認していくこともでき、記録した音声のサーチや、もしくは画像による記録内容確認などに便利なものとなる。
【０２３５】
また記録動作期間中に間欠的に、検索用画像信号を生成していくことで、その検索用画像信号を記録媒体に記録しておけば、再生時に各検索用画像信号を再生出力させ、ユーザーに検索用画像信号に対する選択操作を促すことができる。そして選択された検索用画像信号に対応する音声信号部分の再生出力を実行させるようにすれば、ユーザーは検索用画像に基づいて容易に再生させたい場所を探すことができ、サーチ操作が非常に簡易かつ効率的になる。
【図面の簡単な説明】
【図１】本発明の実施の形態のビデオカメラに対応するディスクのトラック構造を示す説明図である。
【図２】実施の形態のビデオカメラに対応するディスクのトラック部分を拡大して示す説明図である。
【図３】実施の形態のビデオカメラに対応するディスクの仕様を示す説明図である。
【図４】実施の形態のビデオカメラの内部構成のブロック図である。
【図５】実施の形態のビデオカメラのメディアドライブ部の内部構成のブロック図である。
【図６】実施の形態のビデオカメラの側面図、平面図、及び背面図である。
【図７】実施の形態の静止画撮影モード（タイプ１〜タイプ３）の説明図である。
【図８】実施の形態の動画撮影モード（タイプ１、タイプ２）の説明図である。
【図９】実施の形態の音声静止画間欠撮影モードＩ（タイプ１〜タイプ３）の説明図である。
【図１０】実施の形態の音声静止画間欠撮影モードＩ（タイプ１）のフローチャートである。
【図１１】実施の形態の音声静止画間欠撮影モードＩ（タイプ２）のフローチャートである。
【図１２】実施の形態の音声静止画間欠撮影モードＩ（タイプ３）のフローチャートである。
【図１３】実施の形態の音声静止画間欠撮影モードIIの説明図である。
【図１４】実施の形態の音声静止画間欠撮影モードIIのフローチャートである。
【図１５】実施の形態の音声静止画間欠撮影モードIII （タイプ１〜タイプ３）の説明図である。
【図１６】実施の形態の音声静止画間欠撮影モードIII （タイプ１）のフローチャートである。
【図１７】実施の形態の音声静止画間欠撮影モードIII （タイプ２）のフローチャートである。
【図１８】実施の形態の音声静止画間欠撮影モードIII （タイプ３）のフローチャートである。
【図１９】実施の形態の音声動画間欠撮影モードＩ（タイプ１〜タイプ３）の説明図である。
【図２０】実施の形態の音声動画間欠撮影モードＩ（タイプ１）のフローチャートである。
【図２１】実施の形態の音声動画間欠撮影モードＩ（タイプ２）のフローチャートである。
【図２２】実施の形態の音声動画間欠撮影モードＩ（タイプ３）のフローチャートである。
【図２３】実施の形態の音声動画間欠撮影モードII（タイプ１、タイプ２）の説明図である。
【図２４】実施の形態の音声動画間欠撮影モードII（タイプ１）のフローチャートである。
【図２５】実施の形態の音声動画間欠撮影モードII（タイプ２）のフローチャートである。
【図２６】実施の形態の音声動画間欠撮影モードIII （タイプ１〜タイプ３）の説明図である。
【図２７】実施の形態の音声動画間欠撮影モードIII （タイプ１）のフローチャートである。
【図２８】実施の形態の音声動画間欠撮影モードIII （タイプ２）のフローチャートである。
【図２９】実施の形態の音声動画間欠撮影モードIII （タイプ３）のフローチャートである。
【図３０】実施の形態の音声及び静止画の再生動作の説明図である。
【図３１】実施の形態の音声及び静止画の画像優先再生のフローチャートである。
【図３２】実施の形態の音声及び静止画の音声継続再生のフローチャートである。
【図３３】実施の形態の音声及び動画の再生動作の説明図である。
【図３４】実施の形態の音声及び動画の画像優先再生のフローチャートである。
【図３５】実施の形態の音声及び動画の音声継続再生のフローチャートである。
【図３６】実施の形態のサムネイル画像記録の説明図である。
【図３７】実施の形態のサムネイル画像の説明図である。
【符号の説明】
１  レンズブロック、２  カメラブロック、３  ビデオ信号処理部、４  メディアドライブ部、５  デッキ部、６  表示／画像／音声入出力部、６Ａ  表示部、７  操作部、８  外部インターフェイス、９  電源ブロック、１１  光学系、１２  モータ部、２２  サンプルホールド／ＡＧＣ回路、２３  Ａ／Ｄコンバータ、２４  タイミングジェネレータ、２５  カメラコントローラ、３１  データ処理／システムコントロール回路、３２  バッファメモリ、３３  ビデオ信号処理回路、３４  メモリ、３５  動き検出回路、３６  メモリ、３７  音声圧縮エンコーダ／デコーダ、３８  ビデオコントローラ、４１  ＭＤ−ＤＡＴＡ２エンコーダ／デコーダ、４２  バッファメモリ、４３  二値化回路、４４  ＲＦ信号処理回路、４５  サーボ回路、４６  ドライバコントローラ、５１  ディスク、５２  スピンドルモータ、５３  光学ヘッド、５４  磁気ヘッド、５５  スレッドモータ、６１  ビデオＤ／Ａコンバータ、６２  表示コントローラ、６３  コンポジット信号処理回路、６４  Ａ／Ｄコンバータ、６５  Ｄ／Ａコンバータ、６６  アンプ、１０１  ＲＦアンプ、１０３  ＡＧＣ／クランプ回路、１０４  イコライザ／ＰＬＬ回路、１０５  ビタビデコーダ、１０６  ＲＬＬ（１，７）復調回路、１０７  マトリクスアンプ、１０８  ＡＤＩＰバンドパスフィルタ、１０９  Ａ／Ｂトラック検出回路、１１０  ＡＤＩＰデコーダ、１１１  ＣＬＶプロセッサ、１１２  サーボプロセッサ、１１３  サーボドライバ、１１４  データバス、１１５  スクランブル／ＥＤＣエンコード回路、１１６  ＥＣＣ処理回路、１１７  デスクランブル／ＥＤＣデコード回路、１１８  ＲＬＬ（１，７）変調回路、１１９  磁気ヘッド駆動回路、１２０  レーザドライバ、１２１  転送クロック発生回路、２０１  カメラレンズ、２０２マイクロフォン、２０３ディスクスロット、２０４  ビューファインダ、２０５  スピーカ、３００  メインダイヤル、３０１  レリーズキー、３０２  撮影モードセレクタ、３０３再生モードセレクタ、３０４  ズームキー、３０５  イジェクトキー、３０６再生キー、３０７  停止キー、３０８，３０９  サーチキー、Ｌｄ  ランド、ＮＷＧ  ノンウォブルドグルーブ、ＷＧ  ウォブルドグルーブ、Ｔｒ・Ａ，Ｔｒ・Ｂ  トラック
【図１】
0003991412.tif 000002
【図２】
0003991412.tif 000003
【図３】
0003991412.tif 000004
【図４】
0003991412.tif 000005
【図５】
0003991412.tif 000006
【図６】
0003991412.tif 000007
【図７】
0003991412.tif 000008
【図８】
0003991412.tif 000009
【図９】
0003991412.tif 000010
【図１０】
0003991412.tif 000011
【図１１】
0003991412.tif 000012
【図１２】
0003991412.tif 000013
【図１３】
0003991412.tif 000014
【図１４】
0003991412.tif 000015
【図１５】
0003991412.tif 000016
【図１６】
0003991412.tif 000017
【図１７】
0003991412.tif 000018
【図１８】
0003991412.tif 000019
【図１９】
0003991412.tif 000020
【図２０】
0003991412.tif 000021
【図２１】
0003991412.tif 000022
【図２２】
0003991412.tif 000023
【図２３】
0003991412.tif 000024
【図２４】
0003991412.tif 000025
【図２５】
0003991412.tif 000026
【図２６】
0003991412.tif 000027
【図２７】
0003991412.tif 000028
【図２８】
0003991412.tif 000029
【図２９】
0003991412.tif 000030
【図３０】
0003991412.tif 000031
【図３１】
0003991412.tif 000032
【図３２】
0003991412.tif 000033
【図３３】
0003991412.tif 000034
【図３４】
0003991412.tif 000035
【図３５】
0003991412.tif 000036
【図３６】
0003991412.tif 000037
【図３７】
0003991412.tif 000038